(57)【要約】【課題】【解決手段】  本発明は、医薬品の分配及び／又は投与用、具体的には異なる製剤の組み合わせの分配及び／又は投与用パッケージ及びキットに関する。【選択図】図１ａ
2008506463.tif 000002
【特許請求の範囲】
【請求項１】
可変投与量治療法のカスタマイズした投与量を提供するパッケージにおいて：
（ａ）製剤Ａの複数の相互に連結した単位投与形態を具える少なくとも１つのサブユニットＡと；
（ｂ）製剤Ｂの複数の相互に連結した単位投与形態を具える少なくとも１つのサブユニットＢと；
（ｃ）少なくとも１つのサブユニットＡを少なくとも１つのサブユニットＢに物理的に関連させる手段と；
を具え、
製剤Ａと製剤Ｂが異なり；
投与量が各サブユニットからの１の単位投与形態を具え、サブユニットＡ又はＢを前記パッケージに加える、又はサブユニットＡ又はＢを前記パッケージから除去することによって、前記投与量が患者用にカスタマイズされることを特徴とするパッケージ。
【請求項２】
請求項１に記載のパッケージにおいて、少なくとも１つの単位投与形態が、破裂できるセルに封入されていることを特徴とするパッケージ。
【請求項３】
請求項１又は２に記載のパッケージにおいて、少なくとも１つのサブユニットＡを、少なくとも１つのサブユニットＢに物理的に関連させることを特徴とするパッケージ。
【請求項４】
請求項３又は４に記載のパッケージにおいて、各サブユニットが等しい数の単位投与形態を含むことを特徴とするパッケージ。
【請求項５】
請求項３に記載のパッケージにおいて、製剤Ａの単位投与形態と製剤Ｂの単位投与形態とが共に、各行が１回投与量であり、各列がサブユニットであるような格子パターンに関係付けられていることを特徴とするパッケージ。
【請求項６】
請求項１から５のいずれか１項に記載のパッケージにおいて、製剤Ａと製剤Ｂがそれぞれ、有効成分Ｘを具え、製剤Ａの単位投与形態中の有効成分Ｘの量が、製剤Ｂの単位投与形態中の有効成分Ｘの量と等しくないことを特徴とするパッケージ。
【請求項７】
請求項６に記載のパッケージにおいて、製剤Ａの単位投与形態が、製剤Ｂの単位投与形態の有効成分Ｘの量より約２、約４、約５、約１０、約２５、又は約５０の因子分だけ多い量の有効成分Ｘを具えることを特徴とするパッケージ。
【請求項８】
請求項１から５のいずれか１項に記載のパッケージにおいて、製剤Ａが、有効成分Ｘを具え、製剤Ｂが、有効成分Ｙを具えることを特徴とするパッケージ。
【請求項９】
請求項１から５のいずれか１項に記載のパッケージにおいて、製剤Ａが有効成分Ｘを具え、製剤Ｂが有効成分Ｙを具え、製剤Ａは有効成分Ｙを含まないことを特徴とするパッケージ。
【請求項１０】
請求項１から９のいずれか１項に記載のパッケージにおいて、製剤Ａ及び製剤Ｂが、異なる薬理学的又は薬物速度論的特性を有することを特徴とするパッケージ。
【請求項１１】
請求項１０に記載のパッケージにおいて、製剤Ａが徐放性製剤であり、製剤Ｂが即効性製剤であることを特徴とするパッケージ。
【請求項１２】
請求項１から１１のいずれか１項に記載のパッケージにおいて、前記有効成分Ｘが、細胞毒性化合物、化学療法化合物、高力価化合物、及び経口投与可能な白金錯体から選択されることを特徴とするパッケージ。
【請求項１３】
請求項１から７のいずれか１項に記載のパッケージにおいて、前記有効成分Ｘが、サトラプラチン（ｓａｔｒａｐｌａｔｉｎ）、又はその代謝産物或いはプロドラッグであることを特徴とするパッケージ。
【請求項１４】
請求項１３に記載のパッケージにおいて、製剤Ａの単位投与形態が、約５０ｍｇのサトラプラチン（ｓａｔｒａｐｌａｔｉｎ）を具え、製剤Ｂの単位投与形態が、約１０ｍｇのサトラプラチン（ｓａｔｒａｐｌａｔｉｎ）を具えることを特徴とするパッケージ。
【請求項１５】
請求項１３又は１４に記載のパッケージにおいて、投与回数が約５回であることを特徴とするパッケージ。
【請求項１６】
請求項８又は９に記載のパッケージにおいて、前記有効成分Ｙが、細胞毒性化合物、化学療法化合物、及び経口投与可能な白金錯体、放射線増感剤、制吐剤、止痢薬、高力価化合物、治療係数が低い化合物、及びホルモン抗ガン剤から選択されることを特徴とするパッケージ。
【請求項１７】
請求項１に記載のパッケージにおいて、投与回数が、３から３５、約１４、約１０、約７、及び約５から選択されることを特徴とするパッケージ。
【請求項１８】
請求項１５又は１７に記載のパッケージにおいて、各投与が、その週又は月の１日に指定されていることを特徴とするパッケージ。
【請求項１９】
請求項１８に記載のパッケージにおいて、各投与が、時系列順にその週又は月の少なくとも１日に指定されていることを特徴とするパッケージ。
【請求項２０】
請求項１から１９のいずれか１項に記載のパッケージにおいて、製剤Ａ又はＢの少なくとも１つの単位投与形態の少なくとも１つが、経口投与に適合していることを特徴とするパッケージ。
【請求項２１】
請求項２０に記載のパッケージにおいて、経口投与に好適な前記単位投与形態が、タブレット、ピル、カプセル、又はジェルキャップから選択されることを特徴とするパッケージ。
【請求項２２】
請求項１に記載のパッケージにおいて、サブユニットＡをサブユニットＢに物理的に関連付ける手段が、位置決定手段を具えることを特徴とするパッケージ。
【請求項２３】
請求項２２に記載のパッケージにおいて、前記位置決定手段に、予め決められたサブユニットＡ又はＢのセットが部分的に入っていることを特徴とするパッケージ。
【請求項２４】
請求項１に記載のパッケージにおいて、サブユニットＡをサブユニットＢに物理的に関連させるための前記手段が、サブユニットＢのレセプタクルを通って配置されるように構成されたサブユニットＡ上の付属物を具えることを特徴とするパッケージ。
【請求項２５】
請求項１に記載のパッケージにおいて、サブユニットＡをサブユニットＢに物理的に関連させるための前記手段が、サブユニットＢに接着するように構成されたサブユニットＡ上の接着剤を具えることを特徴とするパッケージ。
【請求項２６】
請求項１から２５のいずれか１項に記載のパッケージが、製剤Ｃの複数の単位投与形態を更に具え、製剤Ｃが、製剤Ａ及びＢとは異なることを特徴とするパッケージ。
【請求項２７】
請求項１から２６のいずれか１項に記載の複数のパッケージを具えることを特徴とする組み合わせパッケージ。
【請求項２８】
請求項１から２７のいずれか１項に記載のパッケージが、所定のインターバルで前記パッケージの各サブユニットＡ及びＢから単位投与量を摂取するための患者への指示書を更に具えることを特徴とするパッケージ。
【請求項２９】
請求項１から２８のいずれか１項に記載のパッケージが、所定のインターバルで製剤Ｃの単位投与量を摂取するための患者への指示書を更に具え、製剤Ｃが、製剤Ａ及びＢとは異なることを特徴とするパッケージ。
【請求項３０】
請求項１から２９のいずれか１項に記載のパッケージにおいて、各投与が、前記パッケージから独立して取り外し可能であることを特徴とするパッケージ。
【請求項３１】
可変投与量治療法のカスタマイズされた投与量を提供するパッケージにおいて：
（ａ）製剤Ａの複数の相互に連結した単位投与形態を具える少なくとも１つのサブユニットＡと；
（ｂ）製剤Ｂの複数の相互に連結した単位投与形態を具える少なくとも１つのサブユニットＢと；
を具え、
（ｉ）  製剤Ａと製剤Ｂが異なり；
（ｉｉ）少なくとも１つのサブユニットＡが、少なくとも１つのサブユニットＢと物理的に連結され；投与量が各サブユニットからの１単位投与形態を具え、前記投与量が前記パッケージへ、サブユニットＡ又はＢを加える又は前記パッケージからサブユニットＡ又はＢを除去することによって、前記投与量が患者用にカスタマイズされることを特徴とするパッケージ。
【請求項３２】
請求項３１に記載のパッケージにおいて、少なくとも１つの単位投与形態が、破裂できるセルに封入されていることを特徴とするパッケージ。
【請求項３３】
請求項３１又は３２に記載のパッケージにおいて、少なくとも１つのサブユニットが、別のサブユニットより少ない単位投与形態を具えることを特徴とするパッケージ。
【請求項３４】
請求項３１又は３２に記載のパッケージにおいて、各サブユニットが等しい数の単位投与形態を含むことを特徴とするパッケージ。
【請求項３５】
請求項３１又は３２に記載のパッケージにおいて、各行が１投与量であり、各列がサブユニットである格子パターン中で、製剤Ａの単位投与形態と製剤Ｂの単位投与形態とが共に関連付けられていることを特徴とするパッケージ。
【請求項３６】
請求項３１から３５のいずれか１項に記載のパッケージにおいて、製剤Ａと製剤Ｂがそれぞれ有効成分Ｘを具え、製剤Ａの単位投与形態中の有効成分Ｘの量が、製剤Ｂの単位投与形態中の有効成分Ｘの量と等しくないことを特徴とするパッケージ。
【請求項３７】
請求項３６に記載のパッケージにおいて、製剤Ａの単位投与形態が、製剤Ｂの単位投与形態の有効成分Ｘの量より約２、約４、約５、約１０、約２５、又は約５０のファクタ分多い量の有効成分Ｘを具えることを特徴とするパッケージ。
【請求項３８】
請求項３１から３５のいずれか１項に記載のパッケージにおいて、製剤Ａが、有効成分Ｘを具え、製剤Ｂが、有効成分Ｙを具えることを特徴とするパッケージ。
【請求項３９】
請求項３１から３５のいずれか１項に記載のパッケージにおいて、製剤Ａが、有効成分Ｘを具え、製剤Ｂが、有効成分Ｙを具え、好ましくは、製剤Ａが、有効成分Ｙを含まないことを特徴とするパッケージ。
【請求項４０】
請求項３１から３９のいずれか１項に記載のパッケージにおいて、製剤Ａと製剤Ｂが、異なる薬理学的又は薬物速度論的特性を有することを特徴とするパッケージ。
【請求項４１】
請求項４０に記載のパッケージにおいて、製剤Ａが徐放性製剤であり、製剤Ｂが即効性製剤であることを特徴とするパッケージ。
【請求項４２】
請求項３１から４１のいずれか１項に記載のパッケージにおいて、前記有効成分Ｘが、細胞毒性化合物、化学療法化合物、高力価化合物、及び経口投与可能な白金錯体から選択されることを特徴とするパッケージ。
【請求項４３】
請求項３１から３７のいずれか１項に記載のパッケージにおいて、前記有効成分Ｘが、サトラプラチン（ｓａｔｒａｐｌａｔｉｎ）、又はこの代謝産物又はプロドラッグであることを特徴とするパッケージ。
【請求項４４】
請求項４３に記載のパッケージにおいて、製剤Ａの単位投与形態が、約５０ｍｇのサトラプラチン（ｓａｔｒａｐｌａｔｉｎ）を具え、製剤Ｂの単位投与形態が、約１０ｍｇのサトラプラチン（ｓａｔｒａｐｌａｔｉｎ）を具えることを特徴とするパッケージ。
【請求項４５】
請求項４３又は４４に記載のパッケージにおいて、投与回数が約５回であることを特徴とするパッケージ。
【請求項４６】
請求項３８又は３９に記載のパッケージにおいて、前記有効成分Ｙが、細胞毒性化合物、化学療法化合物、経口投与可能な白金錯体、放射線増感剤、制吐剤、止痢薬、高力価化合物、治療係数が低い化合物、及びホルモン抗ガン剤から選択されることを特徴とするパッケージ。
【請求項４７】
請求項３１に記載のパッケージにおいて、投与回数が、３から３５、約１４、約１０、約７、及び約５から選択されることを特徴とするパッケージ。
【請求項４８】
請求項３５又は３７に記載のパッケージにおいて、各投与が、その週又は月の１日で指定されていることを特徴とするパッケージ。
【請求項４９】
請求項４８に記載のパッケージにおいて、各投与が、時系列順にその週又は月の１日で指定されていることを特徴とするパッケージ。
【請求項５０】
請求項３１から４９のいずれか１項に記載のパッケージにおいて、少なくとも１つの製剤Ａ又はＢの少なくとも１つの単位投与形態が、経口投与に適合されていることを特徴とするパッケージ。
【請求項５１】
請求項５０に記載のパッケージにおいて、経口投与に適した単位投与形態が、タブレット、ピル、カプセル、又はジェルキャップから選択されることを特徴とするパッケージ。
【請求項５２】
請求項３１から５１のいずれか１項に記載のパッケージが更に、製剤Ｃの複数の単位投与形態を具え、製剤Ｃが製剤Ａ及びＢと異なることを特徴とするパッケージ。
【請求項５３】
請求項１から５２のいずれか１項に記載の複数のパッケージを具えることを特徴とする組み合わせパッケージ。
【請求項５４】
請求項３１から５３のいずれか１項に記載のパッケージが、所定のインターバルで前記パッケージのサブユニットＡ及びＢの各々から単位投与量を摂取するための患者への指示書を更に具えることを特徴とするパッケージ。
【請求項５５】
請求項３１から５４のいずれか１項に記載のパッケージが、所定のインターバルで製剤Ｃの単位投与量を摂取するための患者への指示書を更に具え、製剤Ｃが、製剤Ａ及びＢと異なることを特徴とするパッケージ。
【請求項５６】
請求項３１から５５のいずれか１項に記載のパッケージにおいて、各投与量が、前記パッケージから独立して取り外し可能であることを特徴とするパッケージ。
【請求項５７】
可変投与量治療法のカスタマイズされた投与量を組み立てる又は作成するキットにおいて：
（ａ）製剤Ａの複数の相互に連結した単位投与形態を具える少なくとも１つのサブユニットＡと；
（ｂ）製剤Ｂの複数の相互に連結した単位投与形態を具える少なくとも１つのサブユニットＢと；
（ｃ）サブユニットＡの製剤Ａの単位投与形態又はサブユニットＢの製剤Ｂの単位投与形態を相互に関連付ける又は物理的に結合させるための手段と；
を具え、
製剤Ａと製剤Ｂが異なり；前記カスタマイズされた投与量が、請求項１、３１、８１又は９０に記載のパッケージで提供されることを特徴とするキット。
【請求項５８】
請求項５７に記載のキットにおいて、各サブユニットが等しい数の単位投与形態を含むことを特徴とするキット。
【請求項５９】
請求項５７又は５８に記載のキットにおいて、前記サブユニットＡ及び／又はＢに、予成形された相互接続で提供されることを特徴とするキット。
【請求項６０】
請求項５９に記載のキットにおいて、前記サブユニットＡ及び／又はＢに、ロール状、シート状、同心円リング、ストリップ、又は他の予め形成された相互接続が設けられていることを特徴とするキット。
【請求項６１】
請求項５７から６０のいずれか１項に記載のキットにおいて、少なくとも１つの単位投与形態が、破裂できるセルに封入されていることを特徴とするキット。
【請求項６２】
請求項５８から６１のいずれか１項に記載のキットにおいて、前記サブユニットが、前記治療法に適した多数の単位投与形態を具え、又は多数の相互接続した単位投与形態から、このような適切な数の単位投与形態を区画するように適用されていることを特徴とするキット。
【請求項６３】
請求項６２に記載のキットにおいて、より多数の相互に連結した前記単位投与形態が、適切な数の単位投与形態を具えるサブユニットの区画を助けるように適合されていることを特徴とするキット。
【請求項６４】
請求項５７から６１のいずれか１項に記載のキットにおいて、前記手段が、前記カスタマイズされた投与量又は適切な数のカスタマイズされた投与量を作るためにテンプレートに加える複数のサブユニットＡ又はＢを提供することを特徴とするキット。
【請求項６５】
請求項５７から６１のいずれか１項に記載のキットにおいて、前記カスタマイズされた投与量又は適切な数のカスタマイズされた投与量を作るためにテンプレートから取り除く複数のサブユニットＡ又はＢを提供することを特徴とするキット。
【請求項６６】
請求項６４又は６５に記載のキットにおいて、前記テンプレートが、製剤Ａ又はＢの所定の単位投与形態セットを具えることを特徴とするキット。
【請求項６７】
請求項５７に記載のキットにおいて、前記手段が位置決定手段を具えることを特徴とするキット。
【請求項６８】
請求項５７に記載のキットにおいて、前記手段が、患者用製剤Ａ又はＢの適切な数の単位投与形態を相互に連結するための指示書を具え、前記治療法の患者にカスタマイズされた投与量を作ることを特徴とするキット。
【請求項６９】
請求項５８に記載のキットにおいて、前記手段が、前記カスタマイズされた投与量を作るために、適切な数のサブユニットＡをサブユニットＢと物理的に関連付けるための指示書を具えることを特徴とするキット。
【請求項７０】
請求項５７に記載のキットが、製剤Ｃの複数の単位投与形態を更に具え、製剤Ｃが製剤Ａと製剤Ｂとは異なることを特徴とするキット。
【請求項７１】
請求項７０に記載のキットが、少なくとも１つのサブユニットＣを、前記パッケージ内に含めるための指示書を更に具えることを特徴とするキット。
【請求項７２】
可変投与量治療法のカスタマイズされた投与量を組み立てる又は準備するキットにおいて：
（ａ）製剤Ａの複数の相互に連結した単位投与形態を具える少なくとも１つのサブユニットＡと；
（ｂ）製剤Ｂの複数の相互に連結した単位投与形態を具える少なくとも１つのサブユニットＢと；
を具え、
製剤Ａと製剤Ｂが異なり；前記カスタマイズされた投与量が、請求項１、３１、８１又は９０のパッケージで提供されることを特徴とするキット。
【請求項７３】
請求項７２に記載のキットにおいて、サブユニットが、等しい数の単位投与形態を含むことを特徴とするキット。
【請求項７４】
請求項７２又は７３に記載のキットにおいて、前記サブユニットＡ又はＢに予め成形された相互接続が設けられていることを特徴とするキット。
【請求項７５】
請求項７４に記載のキットにおいて、前記サブユニットＡ又はＢに、ロール状、シート状、同心円リング、ストリップ、又は他の予め形成された相互接続が設けられていることを特徴とするキット。
【請求項７６】
請求項７２から７５のいずれか１項に記載のキットにおいて、少なくとも１つの単位投与形態が、破裂できるセルに封入されていることを特徴とするキット。
【請求項７７】
請求項７４から７６のいずれか１項に記載のキットにおいて、前記サブユニットが、前記治療法に適切な多数の単位投与形態を具える、又は多数の相互接続した単位投与形態から、このような適切な数の単位投与形態を区画するように適用されていることを特徴とするキット。
【請求項７８】
請求項７７に記載のキットにおいて、より多数の相互に連結した前記単位投与形態が、適切な数の単位投与形態を具えるサブユニットの区画を助けるように適合されていることを特徴とするキット。
【請求項７９】
請求項７２に記載のキットが、製剤Ｃの複数の単位投与形態を更に具え、製剤Ｃが製剤ＡとＢと異なることを特徴とするキット。
【請求項８０】
請求項７９に記載のキットにおいて、製剤Ｃの複数の単位投与形態を更に具え、製剤Ｃが製剤Ａと製剤Ｂとは異なることを特徴とするキット。
【請求項８１】
カスタマイズされた投与量のサトラプラチン（ｓａｔｒａｐｌａｔｉｎ）を提供するパッケージにおいて、前記パッケージが、
（ａ）製剤Ａの相互に連結した複数の単位投与形態を具える少なくとも１つのサブユニットＡであって、製剤Ａの各単位投与形態が、ある量のサトラプラチン（ｓａｔｒａｐｌａｔｉｎ）を具えるサブユニットＡと；
（ｂ）製剤Ｂの複数の相互に連結した単位投与形態を具える少なくとも１つのサブユニットＢであって、製剤Ｂの各単位投与形態が、製剤Ｂの単位投与形態の量と等しくない量のサトラプラチン（ｓａｔｒａｐｌａｔｉｎ）を具えるサブユニットＢと；
（ｃ）投与量が各サブユニットから１つの単位投与形態を具えるように少なくとも１つのサブユニットＡをサブユニットＢに物理的に結合させるための手段であって、前記投与量がサブユニットＡ又はＢを加える又は取り除くことによって患者用にカスタマイズされる手段と；
を具えることを特徴とするパッケージ。
【請求項８２】
請求項８１に記載のパッケージにおいて、製剤Ａの単位投与形態が、約７５ｍｇ、約５０ｍｇ、約２５ｍｇ、約１０ｍｇ、及び約５ｍｇから選択される量のサトラプラチン（ｓａｔｒａｐｌａｔｉｎ）を具えることを特徴とするパッケージ。
【請求項８３】
請求項８１に記載のパッケージにおいて、製剤Ａの単位投与形態が、製剤Ｂの単位投与形態の有効成分Ｘの量より約２、約４、約５、約１０、約２５、又は約５０の因子分だけ多い量の有効成分Ｘを具えることを特徴とするパッケージ。
【請求項８４】
請求項８１に記載のパッケージにおいて、３から３５日間、約１４日間、約１０日間、約７日間、及び約５日間から選択される投与サイクルに渡って一貫した投与量に適合されることを特徴とするパッケージ。
【請求項８５】
請求項８１に記載のパッケージにおいて：
（ａ）製剤Ａの単位投与形態中のサトラプラチン（ｓａｔｒａｐｌａｔｉｎ）の量が約５０ｍｇであり；
（ｂ）製剤Ｂの単位投与形態中のサトラプラチン（ｓａｔｒａｐｌａｔｉｎ）の量が約１０ｍｇであり；
（ｃ）前記パッケージが、約７日間の投与サイクルに渡って、約５日間毎日投与するように更に適合されていること；
を特徴とするパッケージ。
【請求項８６】
請求項８１に記載のパッケージが、所定の回数で前記パッケージの各サブユニットＡ及びＢから単位投与量を摂取するための患者への指示書を更に具えることを特徴とするパッケージ。
【請求項８７】
請求項８１から８６のいずれか１項に記載のパッケージが、所定の回数で製剤Ｃから単位投与量を摂取するための患者への指示書を更に具え、製剤Ｃが製剤Ａと製剤Ｂと異なることを特徴とするパッケージ。
【請求項８８】
請求項８１に記載のパッケージが、製剤Ｃの少なくとも１つの他の単位投与形態を更に具え、製剤Ｃが、製剤Ａと製剤Ｂと異なることを特徴とするパッケージ。
【請求項８９】
請求項８７又は８８に記載のパッケージにおいて、前記製剤Ｃが、細胞毒性化合物、化学療法化合物、経口投与可能な白金錯体、放射線増感剤、制吐剤、止痢薬、高力価化合物、治療係数が低い化合物、及びホルモン抗ガン剤から選択される有効成分を具えることを特徴とするパッケージ。
【請求項９０】
カスタマイズされた投与量のサトラプラチンを提供するパッケージにおいて、前記パッケージが、
（ａ）製剤Ａの複数の相互に連結した単位投与形態を具える少なくとも１つのサブユニットＡであって、製剤Ａがある量のサトラプラチンを具えるサブユニットＡと；
（ｂ）製剤Ｂの複数の相互に連結した単位投与形態を具える少なくとも１つのサブユニットＢであって、製剤Ｂが製剤Ａの単位投与形態の量と等しくない量のサトラプラチンを具えるサブユニットＢと；を具え、
投与量が各サブユニットから１つの単位投与形態を具え、前記投与量が、サブユニットＡ又はＢを加える、又は取り除くことによって患者用にカスタマイズされることを特徴とするパッケージ。
【請求項９１】
請求項９０に記載のパッケージにおいて、製剤Ａの単位投与形態が、約７５ｍｇ、約５０ｍｇ、約２５ｍｇ、約１０ｍｇ、及び約５ｍｇから選択される量のサトラプラチン（ｓａｔｒａｐｌａｔｉｎ）を具えることを特徴とするパッケージ。
【請求項９２】
請求項９０に記載のパッケージにおいて、製剤Ａの単位投与形態が、製剤Ｂの単位投与形態の有効成分Ｘの量より約２、約４、約５、約１０、約２５、又は約５０の因子分だけ多い量の有効成分Ｘを具えることを特徴とするパッケージ。
【請求項９３】
請求項９０に記載のパッケージが、３から３５日間、約１４日間、約１０日間、約７日間、及び約５日間から選択される投与サイクルに渡って一貫した投与量に更に適合されていることを特徴とするパッケージ。
【請求項９４】
請求項９０に記載のパッケージにおいて：
（ａ）製剤Ａの単位投与形態中のサトラプラチン（ｓａｔｒａｐｌａｔｉｎ）の量が約５０ｍｇであり；
（ｂ）製剤Ｂの単位投与形態中のサトラプラチン（ｓａｔｒａｐｌａｔｉｎ）の量が約１０ｍｇであり；
（ｃ）前記パッケージが、約７日間の投与サイクルに渡って、約５日間毎日投与するよう更に適合されている；
ことを特徴とするパッケージ。
【請求項９５】
請求項９０に記載のパッケージが、所定の回数で前記パッケージの各サブユニットＡ及びＢから単位投与量を摂取するための患者への指示書を更に具えることを特徴とするパッケージ。
【請求項９６】
請求項９０に記載のパッケージが、所定の回数で製剤Ｃから単位投与量を摂取するための患者への指示書を更に具え、製剤Ｃが製剤Ａと製剤Ｂと異なることを特徴とするパッケージ。
【請求項９７】
請求項９０に記載のパッケージが、少なくとも１つのその他の単位投与形態の製剤Ｃを更に具え、製剤Ｃが製剤Ａと製剤Ｂと異なることを特徴とするパッケージ。
【請求項９８】
請求項９６又は９７に記載のパッケージにおいて、前記製剤Ｃが細胞毒性化合物、化学療法化合物、経口投与可能な白金錯体、放射線増感剤、制吐剤、止痢薬、高力価化合物、治療係数が低い化合物、及びホルモン抗ガン剤から選択される有効成分を具えることを特徴とするパッケージ。
【請求項９９】
請求項１から５６又は８１から９８のいずれか１項に記載のパッケージを組み立てる、又は作成する方法において、製剤Ａ及びＢの適切な数の単位投与形態を決定し、定められた投与量の可変投与量治療法を達成するステップと、
（ａ）前記パッケージからサブユニットに追加、又は前記パッケージからサブユニットを取り除くステップ；又は
（ｂ）請求項５７又は７２に記載の前記キットを使用するステップ；
とを具え、
これによって患者用に投与量をカスタマイズすることを特徴とする方法。
【請求項１００】
請求項２６、５２、８８、又は９７のいずれか１項に記載のパッケージを組み立てる、又は作成する方法において、製剤Ａ及びＢの適切な数の単位投与形態を決定し、定められた投与量の可変投与量治療法を達成するステップと、
（ａ）前記パッケージへサブユニットを追加、又は前記パッケージからサブユニットを取り除くステップと；又は
（ｂ）請求項７０、７１、７９、又は８０に記載の前記キットを使用するステップと、
を具え、
これによって患者用に投与量をカスタマイズすることを特徴とする方法。
【請求項１０１】
病気を患っている患者を治療する方法において：
（ａ）可変投与量治療法の適切な投与量を前記患者用に決定するステップと；
（ｂ）可変投与量治療法の請求項１から５６又は８１から９８のいずれか１項に記載のパッケージのカスタマイズされた投与量を前記患者に処方するステップと；
（ｃ）前記患者に指示して所定のインターバルで前記パッケージのサブユニットＡ及びＢのそれぞれから単位投与量を摂取させるステップと；
を具えることを特徴とする方法。
【請求項１０２】
請求項１０１に記載の方法において、前記患者に指示して、所定のインターバルで製剤Ｃの単位投与量を摂取させるステップを更に具え、製剤Ｃが製剤Ａ及びＢと異なることを特徴とする方法。
【請求項１０３】
請求項１０１又は１０２に記載の方法において、前記疾患が、癌、高血圧症、甲状腺機能低下症、心臓関連の疾患、及び鬱病から選択されることを特徴とする方法。
【請求項１０４】
請求項１０３に記載の方法において、前記疾患が肝臓癌、胃癌、大腸癌、乳癌、膵臓癌、皮膚癌、子宮頸癌、卵巣癌、睾丸癌、肺癌、及び頭頸部癌、前立腺癌、ホルモン耐性前立腺癌、小細胞肺癌、及びそれらの転移癌から選択される癌であることを特徴とする方法。
【請求項１０５】
図１ａ、１ｂ、又は２のいずれか１つに記載のパッケージと実質的に類似していることを特徴とする請求項１、３１、８１、又は９０のいずれか１項に記載のパッケージ。
【請求項１０６】
図３から図１０のいずれか１つに記載のキットに実質的に類似していることを特徴とする請求項５７又は７２に記載のキット。
【発明の詳細な説明】
【技術分野】
【０００１】
本発明は、可変投与量パッケージシステムに関する。
【０００２】
本発明の背景
体表面積（ｂｓａ）等のパラメータに基づいた、個人に最も好適な特定の時間間隔で、所望の量の薬剤を投与するために、投与量送出の調整は患者にとって最も肝心である。これは、高力価の薬物又は治療係数が低い薬物の場合に特に重要であり、実質的に患者に害を与える不適切な投与量摂取の結果として、潜在的副作用が生じる。過剰な高力価の薬物又は治療係数が低い薬物を過剰投与された患者は、深刻な副作用が生じ、又は死ぬこともある。これに対して、不十分な量のこのような薬物を摂取した患者には、所望の治療効果が現れない。
【０００３】
異なる投与量強度が異なる同じ活性医薬品を提供することによって、所望の投与量の送出の問題に対して取り組むことは、この分野においてよく行われている。所望のトータル投与量がその患者にカスタマイズされるように、これらの有効な投与量強度、又はこれらの組み合わせのうちの１つがこの患者に処方される。例えば、シンスロイド（Ｓｙｎｔｈｒｏｉｄ（登録商標））（レボチロキシンナトリウム）は、甲状腺機能低下症及び下垂体性ＴＳＨ抑制を有する患者に処方される合成甲状腺ホルモンであり、良性結節性甲状腺腫の治療、及び外科手術及びある種の甲状腺癌の管理における放射性ヨウ素療法と併用して使用される。シンスロイド（Ｓｙｎｔｈｒｏｉｄ（登録商標））（レボチロキシンナトリウム）は、２５ｍｃｇ、５０ｍｃｇ、７５ｍｃｇ、８８ｍｃｇ、１００ｍｃｇ、１１２ｍｃｇ、１２５ｍｃｇ、１３７ｍｃｇ、１５０ｍｃｇ、１７５ｍｃｇ、２００ｍｃｇ、３００ｍｃｇ（マイクログラム）タブレットを含む複合投与形態で与えられる。別の例では、クマディン（Ｃｏｕｍａｄｉｎ（登録商標））（ワルファリン（ｗａｒｆａｒｉｎ））は、肺塞栓症、心房細動、及び深部静脈血栓症を適切に治療する他に、心臓弁置換後の凝固を避ける、又は心臓麻痺又は心臓発作の再発を避けるために使用される抗凝血剤である。クマディン（Ｃｏｕｍａｄｉｎ（登録商標））（ワルファリン（ｗａｒｆａｒｉｎ））は、１ｍｇ、２ｍｇ、２．５ｍｇ、３ｍｇ、４ｍｇ、５ｍｇ、６ｍｇ、７ｍｇ、７．５ｍｇ、及び１０ｍｇタブレットを含む多数の投与形態で入手可能である。種々の異なる強度によって、医師、薬剤師、介護士又は患者が混乱する可能性と共に、これらの薬剤の多数の異なる投与形態で製造することによって生じるコストと困難は、このような解決の制限と潜在的な不利益の例である。
【０００４】
癌治療薬は、一般的に高力価の治療薬と考えられており、慎重な投与量が要求され、しばしば患者の大きさ、体重、年齢、状態、性別又はその他の要因に応じて特定の患者にカスタマイズされる。現在、市場には、一握りの経口癌治療薬がある。しかしながら、現在、これらの治療薬は、患者にとって便利で安全なパッケージで入手できない。例えば、ゼローダ（Ｘｅｌｏｄａ）（カペシタビン）は５００ｍｇ及び１５０ｍｇタブレットで製剤され、投与に際して、２つの個別の瓶にパッケージされる。患者は、医師によって個別の投与量を処方され、処方された投与量を達成するために、患者が５００ｍｇ及び１５０ｍｇタブレットの必要な組み合わせを摂取する必要がある。表１から分かるように（ゼローダ（Ｘｅｌｏｄａ）（登録商標）の製剤情報から得た）、２つのタブレット強度の種々の数及び組み合わせが提供され、これらの組み合わせを厳守する重要性を、患者に確実に伝える必要がある。この投与法は、単純に、例えば２つの瓶を混同することによって、不正確に組み合わせたタブレットを摂取するといった誤りが生じる傾向がある。これは、例えば患者の年齢、患者の持つ視力、言語知識、読むレベルに応じて、ある種の患者の特別な問題である。更に、癌患者は、しばしば悩み、感情的に不安になり又は混同する−これはしばしば、多くの癌患者が高齢であるため、単に、このような疾患を患っている知識に対処する感情的なトラウマからである。
【０００５】
加えて、瓶の非保護ピル（ルーズピル又は「素」錠）を提供することによって、薬剤師と患者の双方が、それらを物理的に扱わなければならない。ピルを扱うことは、破損、破壊、破裂又はその他の損傷をピルに引き起こし、ピルの粉、又はその他の破片が失われ、局所環境が失われる、又は入ることがある。これは、扱う人にとって有毒である高力価の薬物又は治療係数が低い薬物に伴う問題である。例えば、プロペシア（Ｐｒｏｐｅｃｉａ（登録商標））（フィナステライド）は、男性の頭頂部（頭頂）及び前頭部の男性型抜け毛症を治療するために、タブレット形状で投与される。このタブレットは、通常の取扱の間の有効成分との接触を避けるために、被覆されており、これによってヒトにとって安全であると考えられている。しかし、特に粉砕又は破壊された場合、有効成分が男児胎児の性器に異常を引き起こすかもしれない危険性から、妊娠している又は妊娠しているかもしれない女性は、このタブレットを摂取したり、取り扱うべきではない。
【０００６】
個人投与量の薬物を貯蔵及び分配するパッケージシステムの概念は、この分野においてよく知られている。しかし、これらの解決手段の多くは、適切な薬物投与に関連するラベリングの問題に取り組むことが目的である。例えば、米国特許第６，０８２，５４４号である。その他のパッケージシステムは、米国特許第６，４１２，６３６号、米国特許第６，０４７，８２９号、米国特許第６，２３０，８９３号、及びＭｅａｄＷｅｓｔｖａｃｏ  Ｈｅａｌｔｈｃａｒｅ  Ｐａｃｋａｇｉｎｇの「Ｓｕｒｅｐａｋ」システム等にあるように、子供にとって安全な解決策を提供する。
【０００７】
必要なことは、治療薬の投与用パッケージであり、その他の送出又はパッケージング解決策を越える利点を提供するような方法で、可変投与量治療法のカスタマイズされた投与量の患者に対する送出を可能にすることである。このような利点には、より少数の標準単位を使用して達成される多数の投与レベルを組み合わせることができるパッケージ、患者又は処方する薬剤師にとってより安全であるパッケージ、又は患者がより容易に治療法に適確に従うことができるパッケージによって提供されることが含まれる。例として、このような発明は、年老いた前立腺癌患者が、正確な量の抗癌ピルを摂取するための製剤パッケージを提供し、このため、治療の成功又は生活の質の向上の機会が増える。
【０００８】
本発明の概要
本発明は、特定の患者又は治療法に対する薬物の投与を調整することを容易にするパッケージに関する。従って、ある実施例では、本発明は、カスタマイズされた投与量の可変投与量治療法を提供するためのパッケージであって、
（ａ）製剤Ａの複数の相互に関連した単位投与形態を具える少なくとも１つのサブユニットＡと；
（ｂ）製剤Ｂの複数の相互に関連した単位投与形態を具える少なくとも１つのサブユニットＢと；
（ｃ）少なくとも１つのサブユニットＡを少なくとも１つのサブユニットＢに物理的に結合させるための手段と；
を具え、
製剤Ａと製剤Ｂが異なり；
投与が、各サブユニットから１単位投与形態を具え、前記投与が、パッケージに、又はパッケージからサブユニットＡ又はＢを加える、又は取り除くことによって、患者用にカスタマイズされる、
パッケージに関する。
【０００９】
本発明は、更にカスタマイズされた投与量の可変投与量治療法を組み立てる、又は準備するキットであって、
（ａ）製剤Ａの複数の相互に関連した単位投与形態を具える少なくとも１つのサブユニットＡと；
（ｂ）製剤Ｂの複数の相互に関連した単位投与形態を具える少なくとも１つのサブユニットＢと；
（ｃ）少なくとも１つのサブユニットＡを少なくとも１つのサブユニットＢに物理的に結合させるための手段と；
を具え、
製剤Ａと製剤Ｂが異なり、前記カスタマイズされた投与が、パッケージで提供される、
キットに関する。
【００１０】
ある実施例では、各単位投与形態は、破裂できるセルに封入されている。好ましい実施例では、各単位投与形態は、ブリスターパック又はホイルパックに封入されている。最も好ましくは、各単位投与形態は、ブリスターパックに封入される。好ましいこのような実施例では、サブユニットが、一片のブリスターパックであり、各ブリスターパックが、単一単位投与形態を含んでいる。
【００１１】
ある実施例では、各サブユニットが、複数の単位投与形態を含み、各サブユニットの単位投与形態の数は、一貫した又は漸減する投与をそれぞれ達成するために、パッケージ又はキットのその他のサブユニットの単位投与形態の数と等しくても等しくなくてもよい。好ましい実施例では、各サブユニットの単位投与形態の数は等しい。
【００１２】
ある実施例では、少なくとも１つのサブユニットＡは、少なくとも１つのサブユニットＢと物理的に結合している。好ましい実施例では、製剤Ａの単位投与形態と製剤Ｂの単位投与形態が、各行が１回分であり、各列がサブユニットであるような格子状に配置されている。このような好ましい実施例では、キット又はパッケージの投与量の総数が３から３５であり、より好ましくは５から１４であり、更に好ましくは約１４、約７、又は約５である。最も好ましい実施例では、キット又はパッケージの投与量の総数が、約５である。連続した日で標識される必要はないが、各投与量は、その週又はその月の日で指定されてもよい。
【００１３】
好ましい実施例では、パッケージ又はキットは、サトラプラチン（ｓａｔｒａｐｌａｔｉｎ）等の経口で利用できる白金錯体のカスタマイズされた投与量を提供する。
【００１４】
本発明のキット又はパッケージは、少なくとも１つのサブユニットＡを、少なくとも１つのサブユニットＢ、又は製剤Ｂを伴う製剤Ａの単位投与形態と、物理的に結合する手段を含んでもよい。ある実施例では、サブユニットＡをサブユニットＢを物理的に結合する手段、又は製剤Ｂと製剤Ａの単位投与形態は、位置決定手段を具える。具体的な実施例では、この位置決定手段は、サブユニットＡ又はＢ、又は製剤Ａ又はＢの単位投与形態の適切な数を摂取するように構成されたテンプレート又はフレーム、及び１つ又はそれ以上の区画、配置、接着位置、又はスロットである。ある実施例では、位置決定手段が、所定の１組のサブユニットＡ又はＢ、又は製剤Ａ又はＢの単位投与形態で部分的に充填されてよい。
【００１５】
ある実施例では、少なくとも１つのサブユニットＢと少なくとも１つのサブユニットＡを物理的に接続する手段は、サブユニットＢのレセプタクルを通すように構成されたサブユニットＡ上の付属物を具える。別の実施例では、少なくとも１つのサブユニットＢと少なくとも１つのサブユニットＡを物理的に結合する手段が、サブユニットＢに接着するように構成されたサブユニットＡ上の接着単位領域を具える。別の実施例では、サブユニットＡをサブユニットＢに物理的に結合する手段は、サブユニットＡ又はＢの適切な数を摂取するように構成されたテンプレート及び１つ又はそれ以上の区画、配置、クリップ、締め具、ソケット、接着位置又はスロット等の位置決め手段を具える。
【００１６】
好ましいこのような実施例では、各投与量を、キット又はパッケージから個別に取り出すことができる。
【００１７】
本発明のある実施例では、キット又はパッケージが、患者が所定の間隔でキット又はパッケージの各サブユニットＡ及びＢから単位投与形態を摂取するための指示書を更に具える。この指示書は、製剤Ａ及びＢの単位投与形態の同時又は逐次摂取を要求するものであってもしないものであってもよい。
【００１８】
別の実施例では、キット又はパッケージが、患者が製剤Ｃの複数の単位投与形態を更に具え、製剤Ｃは、製剤Ａと製剤Ｂのそれぞれとは異なる。好ましい実施例では、Ａの単位投与形態、Ｂの単位投与形態、Ｃの単位投与形態は共に、各行が１回分であり、各列がサブユニットである格子状に配置されている。このような実施例では、製剤Ａ、製剤Ｂ、及び製剤Ｃそれぞれが、有効成分Ｘを具え、各製剤Ａ、Ｂ、及びＣの単位投与形態の有効成分Ｘの量は、他の２つの製剤の単位投与形態の有効成分Ｘの量とは異なっている。このような実施例では、キット又はパッケージが、患者が各サブユニットＣから単位投与量を摂取するための指示書を更に具えている。
【００１９】
本発明は更に、本発明のパッケージを組み立てる又は準備する方法に関する。別の態様では、本発明は、本発明のパッケージ又はキットを投与又は分配することによって、疾患を患っている患者を治療する方法に関する。
【００２０】
本発明のその他の特徴及び利点は、次の記載、及び特許請求の範囲から明らかになるであろう。
【００２１】
本発明の詳細な説明
本発明は、特定の患者への薬物投与のオーダーメード又は治療計画を容易にするパッケージ又はキットに関する。一般的に、本発明は、少なくとも２つの異なる製剤処方の単位投与形態を関連させて、この２つの製剤の簡便で管理された投与を行うキット及びパッケージを提供する。異なる製剤は、異なる有効成分を具える製剤、量が異なる（低投与量形態及び高投与量形態等）同じ有効成分を具える製剤、放出特性が異なる（即効性及び徐放性等）を有する製剤、又はこれらの又はその他の異なる製剤の任意の組み合わせであってよい。好ましくは、本明細書で開示されている種々の実施例で使用される少なくとも１つの投与形態は、タブレット、ジェルキャップ、及びカプセル等の経口投与可能な形態であるが、本明細書で開示されている発明の精神から逸脱することなくその他の単位投与形態を使用することができる。ある実施例では、異なる製剤が互いに異なる投与形態で存在する。
【００２２】
例えば、図１ａに示すように、パッケージは長方形であってもよい。図に示すパッケージは、複数のサブユニットＡ１及び複数のサブユニットＢ２を具え、これは、図１ａに列として示されている。各サブユニットは、複数の製剤Ａ４又は製剤Ｂ５が相互に関連した単位投与形態を具え、この単位投与形態は、格子状に配置され、各サブユニット内での単位投与形態は、好ましくは同一である。すなわち、特定のサブユニットに含まれる全投与形態は、パッケージ内でその他のサブユニットの投与形態とは異なっていてもよいが、そのサブユニット中でその他の投与形態と代替でき、同一である。パッケージ又はキットの一部を形成するサブユニットは、いずれかの、又は全ての製剤を予め形成した相互関連を有していてもよく、又は製剤を物理的に結合する手段によって形成することができる。
【００２３】
ある種の実施例では、単位投与形態は、破裂できるセルに封入されている。このような破裂できるセルは、１つ又はそれ以上の単位投与形態を含んでもよい。ある実施例では、各単位投与形態が一の破裂できるセルに封入されている。ある実施例では、各単位投与形態は、ブリスターパック、フォイルパック、カードパッケージ、包装、又は使い切りサイズの袋に封入される。多数のサブユニットが、各列が投与量３であるように、連続的に連結されている。投与量も連続的に連結されており、従って、患者はその時どのくらい多くの特定の製剤の投与を摂取すべきかを評価する必要なく、その列に存在する全ての単位投与形態を摂取することによって、医薬品を容易に摂取することができる。代わりに、パッケージを、特定の時間に摂取すべきである薬を予め決めるようにレイアウトして、患者は基礎的な指示書に従うのみで、予め決められた時間にパッケージの適切な量の薬剤を摂取できる。パッケージ又はキットの一部を形成するサブユニットは、いずれかの又は全ての単位投与形態の形成した相互関連であってもよく、又は製剤を物理的に結合する手段によって形成されてもよい。例えば、製剤Ａ及び／又はＢの個々の単位投与形態は、米国特許第５，９５４，２０２号に記載されているように、予め形成された板紙ブランク内に置かれていてもよく；そのようにすることによって、サブユニット、投与、及び本発明のパッケージを形成する。
【００２４】
製剤Ａ及び製剤Ｂはそれぞれ有効成分を具えており、この有効成分は、同一又は異なっていてよい。このような実施例では、製剤Ａ及び製剤Ｂの双方が有効成分Ｘを具え、製剤Ａと製剤Ｂが異なる薬理学的又は薬理動態学的特性を有し、例えば、製剤Ａは、製剤Ｂが即効性製剤である場合、徐放性製剤であってよく、又は製剤Ａの有効成分Ｘの量が、製剤Ｂの有効成分Ｘの量とは等しくなくともよい。ある実施例では、製剤Ａの有効成分Ｘの量は、約２、約４、約５、約１０、約２５、約５０、又はそれ以上の因子分だけ、製剤Ｂの有効成分Ｘの量より多い（又は逆もある）。ある実施例では、有効成分Ｘは、細胞毒性化合物、化学療法化合物、高力価化合物、治療係数が低い化合物、及び経口投与可能な白金錯体から選択される。このような実施例では、有効成分Ｘはサトラプラチン（ｓａｔｒａｐｌａｔｉｎ）、又はそのプロドラッグ又は代謝物であり、製剤Ａは、１０から１００ｍｇ、好ましくは２５から７５ｍｇ、又は最も好ましくは約５０ｍｇの有効成分Ｘを具え、製剤Ｂは、１から２０ｍｇ、５から１５ｍｇ、最も好ましくは約１０ｍｇの有効成分Ｘを具える。特定の実施例では、例えば、患者集団がサトラプラチンで治療される小児科集団である場合に、又は放射線治療との併用療法である場合等の、一般的に、一定限度の量のサトラプラチンが投与されるべき場合に、製剤Ａの投与量は、約２５ｍｇ、約１５ｍｇ、約１０ｍｇ、及び約５ｍｇから選択される量といった約５０ｍｇ以下のサトラプラチン（ｓａｔｒａｐｌａｔｉｎ）を具え、製剤Ｂの投与量は、約５ｍｇ、約２ｍｇ、約１ｍｇ及び約０．５ｍｇから選択される量といった約１０ｍｇのサトラプラチン（ｓａｔｒａｐｌａｔｉｎ）を具えていてもよい。
【００２５】
ある実施例では、製剤Ａは有効成分Ｘを具え、製剤Ｂは有効成分Ｙを具え、有効成分Ｙは有効成分Ｘと異なっている。ある実施例では、製剤Ａは有効成分Ｙを含まず、好ましくは、製剤Ｂは有効成分Ｘを含まない。
【００２６】
ある実施例では、製剤Ａ及び製剤Ｂは、異なる薬理学的又は薬理動態学的特性を有する。このような実施例では、有効成分Ｘは、細胞毒性化合物、化学療法化合物、高力価化合物、治療係数が低い化合物、及び経口投与可能な白金錯体から選択され、有効成分Ｙは、細胞毒性化合物、化学療法化合物、経口投与可能な白金錯体、放射線増感剤、制吐剤、止痢薬、高力価化合物、治療係数が低い化合物、及びホルモン抗ガン剤から選択される。ある実施例では、有効成分Ｘは、サトラプラチン（ｓａｔｒａｐｌａｔｉｎ）、又はこのプロドラッグ又は代謝物であり、例えば、製剤Ａは、５から７５ｍｇのサトラプラチン（ｓａｔｒａｐｌａｔｉｎ）を具えていてもよい。
【００２７】
更なる実施例では、各投与量をキット又はパッケージから個別に取り出すことができる。
【００２８】
ある実施例では、キット又はパッケージは、製剤の複数の単位投与形態を具えるサブユニットを更に具え、製剤Ｃは、製剤Ａ及びＢそれぞれとは異なっていてもよい。このような実施例では、製剤Ａ、製剤Ｂ、及び製剤Ｃはそれぞれ、有効成分Ｘを具え、各製剤Ａ、Ｂ、及びＣの単位投与形態中の有効成分Ｘの量は、他の２つの製剤のいずれか一方の単位投与形態中の有効成分Ｘの量とは異なっている。このような代替の実施例では、製剤Ａは有効成分Ｘを具え、製剤Ｂは有効成分Ｙを具え、製剤Ｃは有効成分Ｚを具え、各有効成分Ｘ、Ｙ、Ｚは、他の２つの有効成分とは異なっている（例えば、３つの製剤の各々が他の２つの製剤のいずれかに存在しない有効成分を具える）。本明細書に記載されているいずれかの実施例は、製剤Ａ及び／又はＢを具える単位投与形態のサブユニットに、類似する態様の単位投与形態の製剤Ｃを具えるサブユニットを具えていてもよい。他の実施例では、パッケージは製剤Ｄ等の１又はそれ以上の更なる製剤を具えていてもよい。
【００２９】
ある実施例では、少なくとも１つのサブユニットＡが少なくとも１つのサブユニットＢと物理的に結合している。ある実施例では、製剤Ａの単位投与形態と製剤Ｂの単位投与形態が、各列が投与量であり、各行がサブユニットであるように、格子状に配置されている。このような実施例では、キット又はパッケージの投与回数の総数が、３から３５、５から１４、約１４、約１０、約７、又は約５である。各投与は、連続した日で指定される必要はないが、週又は月の１日で指定されてよい。代替的に、各投与は、連続日数（日１、日２、等）、投与数（投与１、投与２、等）、投与の間に経過すべき時間を示す時間間隔（６ｈ、４ｈ、等）、「朝」、「晩」、「朝食」、「昼食」、又は「夕食」等のより一般的な時間的分類で「月曜日朝」といった１又はそれ以上の時間的指定を選択的に具える。このような実施例では、投与量は、任意の適切な方法、例えば、着色、標識、印字、切れ目、エンボス加工、又はその他の区別できる特徴で指定できる。加えて、本発明のパッケージ又はキットは、有効成分の名前、各単位投与形態中の有効成分の量についての情報、又はパッケージの単位投与形態中のいずれかの有効成分についての情報又は警告で標識されてよい。これらの指示又は標識は、製造プロセス中に加えられるパッケージに一体化した部分であってよく、患者への指示又は標識をカスタマイズするように、又は薬剤師又は患者によって加えられたものであってもよい。なぜなら、例えば、何人かの患者は木曜日に可変投与量法を始める一方で、何人かの患者は月曜日に可変投与量法を始めるからである。
【００３０】
ある実施例では、パッケージを使用して漸減した投与量を投与できる。これは、図１ｂの実施例に示されているようにして完成させることができる。ここでは、製剤Ａ及びＢは、例えば、投与量が異なる同じ有効成分の製剤である。記載された実施例では、１回の投与が各日で摂取するべきであると仮定すれば、製剤Ａ４とＢ５の双方の６単位投与形態は、投与の最初の日が含まれ、一方で、５日毎に、各投与の製剤Ｂ５の単位投与形態の数は、もはや製剤Ｂの任意の単位投与形態がなく、これによって、有効成分の全体的な投与量が低減するように減少する。
【００３１】
類似の戦略を、長期に渡って高投与量と低投与量の間を循環し、異なる投与量を交互にし、又は異なる組成物の投与の間を循環する投与を達成するために使用することができる。このような実施例では、例えば、投与１が、製剤Ａの２単位投与形態及び製剤Ｂの１単位投与形態を具えてよく、一方で、投与２は、製剤Ｂの１単位投与形態を具えるが、製剤Ａの単位投与形態を有さず、投与量３は、製剤Ａの２単位投与形態及び製剤Ｂの１単位投与形態を具える等である。これは、漸減した投与量図１ｂに示されたものと同種の空間を残すことによって、又はＡサブユニットの偽薬を有することによって達成される。例えば、製剤の有効成分が眠気を誘発する場合、朝摂取する投与量が夜患者が寝る前に摂取する投与量よりも少ないことが望ましい。従って、本発明によるパッケージは、夜摂取する投与量に含まれるよりも眠気を誘発する朝の投与量の製剤より少ない単位投与形態を含んでもよい。代替的に、この製剤の単位投与形態は、夜に摂取するべき投与量から除外してもよいが、朝の投与量は、眠気に立ち向かう活性物質を具える製剤の単位投与形態を含んでもよい。このような実施例では、いくつかのサブユニットは、パッケージ中のその他のサブユニットよりも少ない単位投与形態を有することができる。
【００３２】
キット又はパッケージは、どのような形状であってよく、どの単位投与形態が各投与の一部であるかどうかを患者が即時に決定することができる限り、サブユニットは、任意のパターンで配置された単位投与形態を具える。例えば、単位投与形態は、円形、三角形、台形、六角形又はその他の形状を形成するよう配置することができる。その他の実施例では、形状が３次元であってもよい。好ましくは、キット又はパッケージは、サブユニットがキット又はパッケージに容易に加えられる、又はパッケージから容易に取り外すことができるように構成されている。例えば、図２に例示されるように、キット又はパッケージは円形であってもよい。このような実施例では、各サブユニット１は、円環であり、複数のサブユニットが同心円環であり、各投与２は、パッケージの放射状の断片である。単位投与形態の最外側の環等ののサブユニットを取り外すことで、本明細書に記載するように投与量を変化させることができる。その他の好適な形状は当業者に明らかであり、本明細書に開示されるであろう。
【００３３】
図３は、本発明の更にもう１つの実施例を示し、キットは、部分的に充填されたテンプレートとして供給され、キットに一体化された少なくとも１つのサブユニットＡ１を具え、複数のサブユニットＡ１は、一連に結合され、キットに一体化されており、複数の一連にに接続された区画６に連結し、各区画はサブユニットＢ１を受けることができる。この実施例では、区画に加えられたサブユニットＢ１が、可変投与量治療法の投与量を増加して、これによって、投与量が患者にカスタマイズするように、キットの各行がサブユニット１であり、各列が投与量２である。
【００３４】
ある実施例では、各サブユニットが、等しい数の単位投与形態を含む。このような実施例では、図３に示すように、サブユニットＡ１及びＢ２は、製剤Ｂ５の単位投与形態と共に製剤Ａ４の単位投与形態が格子を形成するように配置されており、ここでは、各行がサブユニット１又は２であり、各列が投与量３である（又はその逆）。このような好ましい実施例では、各サブユニットＢ２は、ブリスターパックのストリップであり、各ブリスターパックは、単一の単位投与形態を含む。区画６は、スロット、開口、ギャップ、ノッチ、空洞、又はレセプタクル等のサブユニットＢ２を受けることができる任意の構造であってよく、両面が使えても使えなくてもよい。図３によるキットにおいては、ストリップを溝６の中に滑らすことにより、サブユニットＢ２ストリップをキットに加えることができる。図３によるキットにおいては、サブユニットＢストリップ、及びサブユニットＡ区画は、別々に、又は共に提供することができ、薬剤師は、適切な数のサブユニットＢストリップをキットに加えることによって、処方薬を調合し、患者用にカスタマイズされた投与量を含むパッケージを利用可能にすることができる。ある実施例では、全ての区画は空であり、これによって、サブユニットＡのみを含むキットを提供している。
【００３５】
別の態様では、本発明は、図４に示すような可変投与量治療法用のキット又はパッケージに関し、これはテンプレート中の複数の連続して接続した区画６及び７を具え、少なくとも１つの区画Ａを含み、サブユニットＡ１及び少なくとも１つの区画Ｂ７を受けることができ、サブユニットＢ２を受けることができ、投与量３は、キットの各サブユニットから単位投与形態を具えて、区画に加えられたサブユニットＡ１及びサブユニットＢ２が可変投与量治療法の投与量を増加するようにし、区画Ａ６及び区画Ｂ７は、同じであっても異なっていてもよい。サブユニットを互いに関連させるために使用することができる代替のフレーム又はテンプレートの例を米国特許第５，９５４，２０２号に見ることができる。この開示は、参照によって全体に組み込まれており、これは、自給式の再開閉可能なパッケージを形成するのに使用されるブリスターパックを含む板紙素材を対象とする。この型のこのような構造は、一般的に、折った場合には外装として、密閉した場合には開封後に再開閉可能なパッケージとして機能する一枚の板紙から成る。サブユニットを互いに関連させるために使用することができるその他の代替のフレーム又はテンプレートは、米国特許第６，０８２，５４４号に見ることができる。この開示は、参照によって全体に組み込まれており、複数の再使用可能なブリスターストリップカートリッジを保持する再使用可能な分配フレームを含む投与ブリスターストリップを交換するためのシステムを対象とする。個別に密閉したスペースを空けたブリスターを有する薬剤を充填したブリスターストリップが、固定アームが開放位置にある場合に、各ブリスターストリップカートリッジベース上に落とされ、次いで、固定アームが閉鎖位置に移動した時に、カートリッジベースに係合する。ブリスタが視覚的に曝露されるが、固定アームは各個別のブリスター用開放板抑えフレームを含み、これによって、カートリッジとの機能的な組み立てにブリスターストリップを配置する。また、カートリッジは情報識別マーク付の識別カードを有するピルボックスを含み、カードはその頂点に取り付けられる。情報識別マークは、頂点、底、及び分配フレーム底の溝を介して、及び、カートリッジが分配フレームと機能的に係合している場合には、分配フレーム底の下から読み取り可能である。
【００３６】
ある実施例においては、パッケージはサブユニットＡ及びサブユニットＢの組み合わせよりも、サブユニットＡのみ又はサブユニットＢのみを含んでもよい。この状態は、所定数のサブユニットＡが、患者用にカスタマイズされた投与量に対して適切な量の有効成分Ｘを提供する場合に生じる。
【００３７】
好ましい実施例では、図４に示すように、区画は、サブユニットを受けるように適合された溝であり、サブユニットＡ１及び／又はＢ２は、この溝にそれぞれ合致するように適合されたブリスターパックのストリップである。このような実施例では、パッケージは、パッケージからサブユニットを取り除くことなく、単位投与形態をパッケージの外に押し出すことができるように、溝８の裏当中に穴部を更に具える。図４によるキットにおいて、区画コンポーネント６及び７、サブユニットＡ１、及びサブユニットＢ２は、共に供給されてもよく、又は別々に供給するようにしてもよい。可変投与量治療法用の処方薬を充填する薬剤師は、適切な数のサブユニットＡ１及びサブユニットＢ２ストリップをキットに加え、患者用にカスタマイズされた投与量を含むパッケージを利用可能にする。ある実施例では、サブユニットＡ及び／又はサブユニットＢは、サブユニットストリップ１及び／又は２を溝６又は７の中に滑動させることによって、加えることができる。本発明のある実施例では、サブユニットＡ１及びＢ２、及びこれらに対応する区画６及び７が、例えば、サブユニットＡ１が大きすぎてサブユニットＢ７のための区画に適合せず、選択的に、サブユニットＢ２が小さすぎてサブユニットＡ６のための区画で維持されないように、異なる寸法であってよい。例えば、図４において、幅広のストリップは、サブユニットＡ１用に使用でき、幅狭のストリップは、サブユニットＢ２用に使用することができる。このような実施例では、サブユニットＡ１は大きすぎて、サブユニットＢ７用の溝に適合しないが、サブユニットＢ２用ストリップは、より幅広のサブユニットＡ６スロットの外に容易に落ちる。その他の実施例では、区画６及び７は同じ寸法を有しており、区画６又は７がキットのいずれかのサブユニットを受けるように適合されるようにする。
【００３８】
好ましくは、本明細書で開示されている実施例において、例えば、投与後に、空のパッケージを取り除くことができ、又は患者の家から離れても便利に投与できるように、投与量をパッケージから取り外すことができるように、各投与量をパッケージから個別に取り外すことができ、例えば小旅行に完全な大きいパッケージを持ち運ぶ必要をなくしている。従って、図５に示すように、パッケージは、自身が製剤Ａ４の複数の単位投与形態を具える少なくとも１つのサブユニットＡ１と、自身が製剤Ｂ５の複数の単位投与形態を具える少なくとも１つのサブユニットＢ２とを具える、複数の連続して連結したサブユニットＡ１及びＢ２を具え、投与量３は、パッケージの各サブユニットからの単位投与形態を具え、ユニットを取り外した場合に、パッケージの少なくとも１つのサブユニットＡがいつもあるという条件で、可変投与量療法の投与量が減少するように、各サブユニットをパッケージから取り外すことができ、これによって投与量を患者用にカスタマイズすることができる。
【００３９】
パッケージの構造材料に刻み目を入れる、又は穴を開ける等の、このような取り外しを容易にするための種々の方法が技術的に知られている。ある実施例では、各サブユニット及び／又は各投与量をパッケージから個別に取り外すことができるように、パッケージが刻み目又は穿孔等によって適合されている。図５は、このようなパッケージの例を示し、各サブユニットＡ１又はＢ２、及び各投与量３は、パッケージの上に配置された刻み目又は穿孔９によって、パッケージから取り外し可能である。
【００４０】
当業者に明らかなように、様々なシステムを、サブユニット１及び２を互いに連結するのに使用することができる。上記のある実施例は、サブユニットＡ１及びＢ２を関連付けるために、テンプレートを使用することを意図し、個別のサブユニットは、外部支持なしに互いに接続されるように適合されている。例えば、図６に示す実施例では、複合サブユニット１及び２は、可逆的に、又は不可逆的にフック１２を固定できる穴部１１によって、一連に接続される。代替的に、図７に示すように、終端サブユニットＡに、スリット１３を付けることもでき、サブユニットＢに、タブ１４及びスリット１３を付けることができる。図８に示す別の実施例では、終端サブユニットＡにウェル１５を付けることができ、サブユニットＢに、可逆的に、又は不可逆的にウェルに固定的に挿入できるプラグ１６及びウェル１５を付けることもできる。サブユニットＡ１及びサブユニットＢ２は、別々に又は共に供給することができる。薬剤師は、キットを使用して処方薬を充填して、レセプタクル１１、１３、又は１５内に付属物１２、１４、又は１６を挿入することによって図６から８のいずれか１つによって例示されているようなサブユニットを使用して、本発明によるパッケージを組み立てる。可逆的な取付には、薬剤師がパッケージを組み立てる時の誤りを即時に正すことができるという利点を有する；不可逆的な取付は、患者に投与される薬剤に望ましくない変化をもたらすであろう患者によるサブユニットの不用意な分離を防ぐのに有益である。加えて、各サブユニット１又は２に、付属物１２、１４、又は１６及びレセプタクル１１、１３、又は１５をそれぞれ、選択的に取り付けることができる。従って、無数のサブユニットが互いに接続される。サブユニットＡをサブユニットＢと接続するのに好適なその他の位置決め手段には、クリップ、締め具、ソケット又は位置決定用付属物を挙げることができる。
【００４１】
ある実施例では、パッケージを、図９によって説明することができる。終端サブユニットＡ１に、接着剤又は締め具材１７を取り付け、サブユニットＢ２に１７に固定するように適合した材料１８を取り付ける。ある実施例では、接着剤は、製造プロセス中に塗布され、接着剤を露出させるために薬剤師が取り外すことができる取り外し可能なカバーで保護されている。別の実施例では、接着剤は別に供給され、パッケージを準備する時にサブユニットに塗布される。ある実施例では、接着剤又は締め具材料１７は、接着剤、テープ、マッシュルーム、及びフックから選択され、１８に貼るように適合された材料は、接着剤、テープ、カードボード、プラスチック、フォイル、マッシュルーム、及びループから選択される。図９によって例示されるキットにおいては、薬剤師は、サブユニットＡ上の接着剤１７を露出させて、サブユニットＡ１をサブユニットＢ２に接着することによって、パッケージを提供する。また、アタッチメントは、ある種のこれらの実施例においては、可逆的又は不可逆的である。
【００４２】
別の実施例では、キットは、図９によって説明することができる。終端サブユニットＡ１に、舌部を受けるように適合した溝１７を取り付け、終端サブユニットＢ２に、溝１７内に取り付けるように適合した舌部１８を取り付ける。
【００４３】
ある実施例では、キットは、図１０によって説明することができる。サブユニットが、ジグソーパズルに似た方法で互いに合致するように、各サブユニット１及び２に突起部１９を設ける。図１０によって例示されているキットは、非限定的な数のサブユニット１及び２が、互いに関連付けられるという利点を有する。
【００４４】
図６から９のいずれか１つに示すキット又はパッケージのある実施例では、複合サブユニットＢが、例えば、このような各サブユニットが「雄」及び「雌」の双方のアタッチメント部品を有するように、サブユニットＢを更にサブユニットＡに設けた手段を有するように適合させることによって関連付けることができる。この方法で、多数の、又は限定されない数のサブユニットＢを、「デイジーチェーン」構成で、互いに接続することができる。その他の実施例では、サブユニットＡは、このような方法でその他の実施例では、また、キット又はパッケージを具える全サブユニットを接続することができる。
【００４５】
キット又はパッケージのある実施例では、子供にとって安全なパッケージ又はキットを提供することが望まれる。このような実施例では、パッケージ又はキットは、子供にとって安全な包装、システム又は解決策を含む、具える、又は包装、システム又は解決策に含まれることができる。子供にとって安全な好適なパッケージの例は、米国特許第６，４１２，６３６号、米国特許第６，０４７，８２９号、及び第６，２３０，８９３号に開示されており、その全体は参照することによって本明細書に組み込まれている。これらの容器は、単位投与製品を収容し、分配するためのツーピースのパッケージを一般的に対象としている。分配される製品は、外側のスリーブ内に取り外し可能でロック可能に係合する内部スライドカードに含まれている。パッケージは、使用中に何度も開いたり閉じたりすることができる、子供にとって安全でユーザフレンドリな投与手段を提供し、次いで全ての薬剤が尽きたとき廃棄される。子供にとって安全な容器の１つの実施例は、ＭｅａｄＷｅｓｔｖａｃｏ  Ｈｅａｌｔｈｃａｒｅ  Ｐａｃｋａｇｉｎｇによる「Ｓｕｒｅｐａｋ」システムである。これは、貼られたブリスターカードを含む繊維板及びプラスチック外部カートンを具える半剛性ブリスター再密閉可能なパッケージである。ブリスターカードの前面は、透明な半剛体プラスチックで各タブレットを覆い、カードの背面はフォイルでできている。パッケージは、外側カートンの背部に配置された穴部を通して指を押し入れ、外側カートンの前面の２つのタブのうちの１つを持ち上げながら、掛け金を外すためにトリガーを後ろに引くことによって開けることができ、これによってブリスターカードを露出させる。一度ブリスターカードが露出されると、タブレットは、フォイル下地を通って押すことによって放出される。パッケージは、カートン内のブリスターにどのようにして適切にアクセスするかの指示を、患者に提供するテキスト及び図表の組み合わせを更に具える。
【００４６】
別の態様では、本発明は、患者用の可変投与量治療法の投与量をカスタマイズするために、パッケージ又はキットからサブユニットを加える又は取り外すステップと、可変投与量治療法の所定の投与量を達成するための、製剤Ａ及びＢ（又はＡ、Ｂ、又はＣ等）の適切な数の単位投与形態を決定するステップと、を具える、上記のパッケージのいずれか１つを組み立てる、又は準備する方法に関する。サブユニットは、図１１に示すようにロールとして、図１２に示すようにシートとして、図１３に示すように同心円リングで、図１４に示すようにストリップとして、又は別の予め形成された相互連結した形で、バルクで供給することができる。このような実施例では、サブユニットは、ロール状、シート状、同心円リング、ストリップ状、フォイルパック又はブリスターパックとして、又はその他の予め形成された相互連結した形で供給することができる。このようなバルクサブユニット又は相互連結した単位投与形態は、ミシン目、刻み目、又は表示等によって、適切な数の単位投与形態を具えるサブユニットの区分とするように適合させることができる。加えて、サブユニットは、パッケージフレーム又はテンプレートと共に、又は分離して供給することができる。サブユニットＡ及びサブユニットＢは、同じ形態（例えばストリップ）で供給してもよく、異なる２つの形態（例えば、サブユニットＡがフレーム又はテンプレートに一体化されており、サブユニットＢがストリップである）として供給してもよい。ある実施例では、サブユニットＡ及びサブユニットＢは、各タイプのサブユニットを別々に製造、供給及び注文の便宜に図るために、別々に入手可能である。好ましい実施例では、キットは更にパッケージを組み立てるための指示書を具える。ある実施例では、パッケージの組み立ては、更に患者が必要とする有効成分の適量を計算するステップを具える。有効成分がの適量が計算されると、適切なタイプ及び数のサブユニットを決定して、患者用可変投与量法の適切な投与を達成できる。
【００４７】
本明細書に開示されているキットのある実施例では、所定の製剤Ａ及び／又はＢ用のクラスの異なるサブユニットが提供されている。各クラスが、所定の製剤の単位投与形態数が異なり、選択的に空ユニットの又は偽薬ユニットを有している。このようなクラスの異なるサブユニットは、図１ｂに示すようなパッケージを形成するのに有利である。本発明のキットのその他の実施例では、異なる製剤の単位投与形態は、瓶、容器、箱又はバッグ等で、バルクでルーズに提供されている。このような実施例では、本発明のキットは、単位投与形態、例えば米国特許第６，０８２，５４４号の医薬品カートリッジ、又は米国特許第５，９５４，２０２号に開示されるような板紙ブランクを物理的に接続する手段を含んでもよく、このようなカートリッジ、又は板紙ブランクに挿入することによってカスタマイズされた投与量、すなわちカスタマイズされた投与量を形成するように、製剤Ａ及び／又はＢの適切な数の個別の単位投与形態を形成するための指示書と共に具えていてもよい。
【００４８】
更に本発明は、可変投与量治療法の適切な投与量を決定するステップと、可変投与量治療法のカスタマイズされた投与量を処方するステップと、所定の間隔でパッケージの各サブユニットから単位投与量を摂取することを患者に説明するステップと、を具える、疾患を患っている又は症状をくずしている患者の治療方法に関する。ある実施例では、この疾患又は症状は、癌、高血圧症、甲状腺機能低下症、心臓関連の疾患、及び鬱病から選択される。このような実施例では、この疾患又は症状は、肝臓癌、胃癌、大腸癌、乳癌、膵臓癌、皮膚癌、子宮頸癌、卵巣癌、睾丸癌、肺癌、及び頭頸部癌、前立腺癌、ホルモン耐性前立腺癌、小細胞肺癌、及びそれらの転移癌から選択される癌である。ある実施例では、本発明は、併用療法に関し、可変投与量治療法パッケージは、別の治療薬、又は放射線療法等の別の治療法と併用投与される。
【００４９】
本発明別の実施例では、キット又はパッケージは、キット又はパッケージが、キット又はパッケージの組み合わせとして薬剤師や患者に分配されるような少なくとも１つの他のキット又はパッケージに関する。
【００５０】
定義
用語「化学療法薬」又は「化学療法」は、技術的に認識されており、癌細胞等の疾患の原因物質に対して選択的に毒性がある化合物を含んでいる。化学療法化合物の例には、限定はされないが、イレッサ（Ｉｒｅｓｓａ）（ゲフィチニブ（ｇｅｆｉｔｉｎｉｂ））、タルセバ（Ｔａｕｃｅｖａ）（塩酸エルロニチブ（ｅｒｌｏｔｉｎｉｂ  ＨＣｌ））、ゼローダ（Ｘｅｌｏｄａ）（カペシタビン（ｃａｐｅｃｉｔａｂｉｎｅ））、ミトキサントロン、リン酸エストラムスチン、エトポシド、及びドキソルビシンが挙げられる。
【００５１】
本明細書の用語「高力価の」は、非常に低投与量、例えば、数ミリグラム以下で治療効果を有し、小画分によるこのような化合物の過剰投与は、激しい副作用又は中毒反応の原因となる化合物として定義されている。
【００５２】
高力価化合物又は、治療係数が低い化合物には、限定されないが、レボチロキシンナトリウム、ワーファリン、パキリタクセル、ハロペリドール、ピモジド、ジフルコルトルン、ロピニロール塩酸塩、及びベータメタゾン等が挙げられる。
【００５３】
本明細書で使用される用語「同時投与」は、単一の治療法の一部として投与される少なくとも２つの治療薬を意味する。このような併用療法は、治療の個別成分を同時に、連続的に、又は別々に投与する方法によって達成される。
【００５４】
用語「細胞傷害性」は、技術的に認識されており、細胞に対して直接毒性のあるいずれかの化合物を含み、細胞の再生又は成長を妨げる。細胞傷害性化合物の例には、限定されないが、イリノテカン、メルファラン、クロラムブシル、ビンクリスチン、ビンブラスチン、アザチオプリン、シクロホスファミド、メトトレキサート、及びミトマイシン−Ｃが挙げられる。
【００５５】
用語「ホルモン性抗癌剤」には、限定されないが、ロイプロリド、ゴセレリン、フルタミド、ビカルタミド、ニルタミド、及びケトコナゾールが挙げられる。
【００５６】
本明細書で使用される用語「低治療インデックス」は、特定の患者に適合した前記化合物の正確な投与によって最適な治療効果が達成される化合物の記載に定義される。このような化合物の最適な投与量の適合性に影響する要因として、患者の体のサイズ、体重、年齢、状態、性別又はその他の要因を挙げることができる。例えば、重症患者に対してこのような化合物をあまりにも少なく投与しても、治療的効果が生じないことがあるが、一方で、このような化合物の大量の投与は、望ましくない副作用を引き起こすことがある。
【００５７】
用語「放射線増感剤」は、技術的に認識されており、組織の放射線感受性を増加させる能力のあるあらゆる化合物を含む。放射線増感剤の例には、限定されないが、５−フルオロウラシル、トポテカン、及びチラパザミンが挙げられる。
【００５８】
制吐剤の例には、限定されないが、オンダンセトロン、グラニセトロン、ドラセトロン、ジフェンヒドラミン、ハイドロキシジン、メトクロプラミド、ロラゼパム（アルプラゾラム）、ハロペリドール、ドロペリドール、ドロナビノール、デキサメタソン、プロクロルペラジン、及びトロピセトロンが挙げられる。
【００５９】
止痢薬の例には、限定されないが、次サリチル酸ビスマス、吸収性陶土、ポリカルボフィルカルシウム、及びロペラミドが挙げられる。
【００６０】
用語「キット」は、本明細書では、パッケージを組み立てるのに使用することができる１組の部品又はこれらのサブセットとして定義される。これは、例えば、薬剤師に大量に提供されるサブユニットＡ、Ｂ、及び／又はＣ（又は製剤Ａ、Ｂ及び／又はＣ、等の単位投与形態）、キットからパッケージの組み立てるための指示書、及び所定のパッケージに合ったラベル又は接着剤を具える。
【００６１】
「心臓関連疾患」には、虚血再潅流傷害；欝血性心疾患；心不全；心筋梗塞；薬剤（例えば、ドキソルビシン、ハーセプチン、チオリダジン及びシサプリド）等の化合物によって生じる心臓毒性；寄生虫感染（細菌、黴、リケッチア、及びウイルス、例えば、梅毒、慢性クルーズ・トリパノソーマ感染）に起因する心臓障害；劇症型心アミロイドーシス；心臓手術；心臓移植；外傷性心外傷（例えば、穿通性又は鈍性心臓障害、及び大動脈弁破裂）、胸部大動脈瘤の外科的修復；副腎大動脈瘤；心筋梗塞又は心不全に起因する心臓性ショック；神経原性ショック及びアナフィラキシーを含む、心臓及び／又は関連した組織（例、心膜、大動脈及びその他の関連した血管）に関連するあらゆる慢性又は急性の病理学的事象が含まれる。
【００６２】
本明細書で使用される「指示書」は、関係する資料、又はキット又はパッケージになった医薬の準備、又は使用に関する方法を記載した製品ラベル及び／又は文書を意味する。これらの資料には、次の組み合わせを含む：背景情報、取るべきステップ又は手順、成分のリスト、提案する投与量、起こり得る副作用に関する危険性の警告、薬剤投与のための指示、技術的サポート、及びその他の関連文書が含まれる。
【００６３】
本明細書で使用される「代謝産物」は、この分野で認識されており、有効成分の投与後に、体内又は細胞内の物理的、化学的、生物学的、又は生化学的プロセスによって活性成分から誘導される物質を含む。代謝産物は、標的細胞（消化管内等）の外側で形成され、又は好適な出発物質から合成反応によって形成され、細胞又は身体に直接投与される。例えば、ＪＭ１１８は、参照することによって全体が組み込まれている。欧州特許第０１４７９２６号、独国特許第２０６０６１５号、及び米国特許第４３２９２９９号、米国特許第６３５０７３７号、米国特許第６５０３９４３号、欧州特許第１１８６６１０号、に開示される方法によって合成することができる。或いは、ＪＭ１１８は、分離醗酵工程において、ＪＭ２１６の生体内変化を介して形成される。
【００６４】
本明細書で使用される用語「経口投与可能」は、この分野で認識されており、経口で投与された時に、生物学的、生理学的、薬理学的、治療学的、医学的、又は臨床的に有効な活性を有するあらゆる薬剤が含まれる。
【００６５】
本明細書で使用される用語「経口で使用できる白金錯体」は、限定はされないが、サトラプラチン（ＪＭ２１６）、ＪＭ１１８、ＪＭ３８３、又は薬理学的に許容できる塩、異性体、又はこれらのプロドラッグが含まれ、また同様に、欧州特許第０１４７９２６号、米国特許第５０７２０１１号、米国特許第５２４４９１９号、米国特許第６，５０３，９４３号、米国特許第６，３５０，７３７号、及び米国特許第５５１９１５５号に開示される白金錯体を含む。これらの文献は、参照によって全体が本明細書に組み込まれている。Ｒａｙｎａｕｄ、他（１９９６  Ｃａｎｃｅｒ  Ｃｈｅｍｏｔｈｅｒ．Ｐｈａｒｍａｃｏｌ．３８：１５５−１６２）は、サトラプラチンの例示的な代謝物を示す。参照することによって全体が本明細書に組み込まれている。
【００６６】
用語「予防的又は治療的」処置は、この分野で認識されており、１又はそれ以上の対象化合物の宿主に対する投与を含む。望ましくない症状を臨床的に示す（例、宿主動物の病気又はその他の望ましくない状態）のに先だってこの化合物が投与される場合、この処置は、予防的（すなわち、宿主を保護して望ましくない状態を引き起こさないようにする）であるが、望ましくない状態の徴候後に投与される場合、この処置は、治療（すなわち、望ましくない症状、又はその副作用の発現を漸減し、改善し、又は安定化することを意図する）である。
【００６７】
用語「防止」はこの分野で認識されており、局所的再発（例、痛み）等の症状に関連して使用される場合、癌等の病気、心臓障害等のシンドローム複合、又は、その他の病状は、この分野のおいてよく認識されており、組成物を投与されない治験者に比して、治験者の病状の頻度を減少させ、又は、開始、徴候を遅らせる意図の組成物の投与が含まれる。従って、癌の予防は、例えば、未処置の対照集団に比して予防処置を受けている患者の集団において検出できる癌の増殖数を減少させ、未処置の対照集団に対して処置した集団における検出できる癌の成長の発現を遅らせ、及び／又は、病気の進行を遅らせ、及び／又は、例えば、統計的に、及び／又は、臨床的に有意な量によって、患者の生活の質を向上することを含む。感染症の予防は、例えば、未処置の対照集団に対して処置した集団における感染症の診断の数を減らし、及び／又は、未処置の対照集団の感染症に対して処置した集団における症状の発現を遅らせることを含む。痛みの予防は、例えば、未処置の対照集団に対して処置した集団における被験者が経験した痛覚の度合を減少させる、又は、代替的に遅くすることを含む。
【００６８】
用語「プロドラッグ」は、生理学的条件下で、治療上効果のある薬剤に転換される化合物を包む。プロドラッグを作る一般的な方法は、所望の分子を曝露するために生理学的条件下で加水分解される選択された構成成分を含む。その他の実施例では、プロドラッグは、宿主動物の酵素活性によって転換される。例えば、ＪＭ５１８は、ＪＭ１１８（対象活性成分）は、ＪＭ５１８の代謝物によって形成されるので、ＪＭ１１８のプロドラッグと考えられる。同じように、ＪＭ２１６も、ＪＭ１１８のプロドラッグと考えられる。
【００６９】
本明細書で使用される用語「サシェ」は、１回分の薬を含む小さい袋又は小包装を指す。
【００７０】
本明細書で使用される用語「テンプレート」は、特に所定の形状をした本明細書に記載されている単位投与形態又はサブユニットを調整するように適合された枠、骨格、骨組み、基礎、構成、配置、形状、構造、又は支持を意味する。テンプレートの非限定的な例は、米国特許第５，９５４，２０２号の板紙ブランク、米国特許第６，０８２，５４４号の薬剤カートリッジ及び本明細書の図４の接続した区画６によって与えられる。
【００７１】
対象となる治療の方法に関する、化合物の「治療効果のある量」は、所望の投与法（ほ乳類、好ましくはヒトへの）の一環として投与される場合、症状を緩和し、状態を改善し、又は、例えば、何らかの医学的処置に適用できる妥当な利益／危険率で治療する病気又は症状又は化粧品目的の臨床的に許容できる標準量に応じて、病状の発現を遅くする製剤中の化合物の量を意味する。
【００７２】
化合物の「単位投与形態」は、本明細書では治療薬の製剤を具える個別の単位として本明細書で定義されている。好ましい単位投与形態の例は、限定はされないが、タブレット、カプセル、又はジェルキャップを含む。
【００７３】
本明細書で使用される「可変投与量治療法」は、薬剤を処方する、及び／又は、投与するべき個々の患者の必要性に基づいて投与量を調整する方法を意味する。投与の決定に使用することができるいくつかの因子は、限定されないが、年齢、体重、体表面積、及び疾患又は症状の重症度を含む。
【００７４】
投与
本明細書に記載されているようにして作成した単位投与形態は、この分野でよく知られているように、治療するべき疾患、患者の年齢、状態、及び体重に応じて、種々の形態で投与することができる。例えば、化合物が経口で投与される場合、タブレット、カプセル、又はジェルキャップとして配合し；非経口用には、座薬として配合される。これらの剤型は、従来の手段によって作成され、所望ならば、有効成分を、賦形剤、結合剤、崩壊剤、滑剤、矯味薬、安定化剤、懸濁助剤、乳化剤、又は、コーティング剤等の従来の添加剤のいずれかと混合することができる。投与量は、患者の症状、年齢及び体重、治療又は予防する疾患の性質及び重症度、投与経路及び薬剤の形状により様々であるが、一般的に、１日の投与量が０．０１から２０００ｍｇの化合物が、成人患者に勧められる。これは、単回投与で投与してもよく、複数回の投与に分けることもでき、患者のカスタマイズされた投与量を形成することが好ましい。
【００７５】
投与の正確な時間、及び／又は、所定の患者の治療の効果という意味で、最も効果的な結果をもたらす単位投与形態の量は、特定の化合物の活性、薬物動態、及び生物学的利用能、患者の生理学的状態（年齢、性別、疾患型及び段階、一般的な物理的状態、与えられた投与量に対する反応性、及び、薬剤の型）、投与経路等に依存する。しかし、上記のガイドラインは、治療の微調整、例えば、最適時間、及び／又は、投与の量を決定するための基礎として使用されることができる。これは、対象を観察するステップと、投与量、及び／又は、タイミングを調節するステップと、から成る決まり切った実験を必要とするだけである。
【００７６】
ここでは「薬学的に許容される」のフレーズは、これらのリガンド、材料、組成物、及び／又は、投与形態を参照するのに用いられている。これは、有効な医学的判断の範囲内で、過剰な毒性、炎症、アレルギー反応、又は、その他の問題又は合併症がなく、人間や動物の組織と接触させて使用するのに好適であり、妥当な利益／危険率に釣り合っている。
【００７７】
本明細書で使用されるフレーズ「薬学的に許容される担体」は、身体の一器官又は一部から、身体の別の器官又は一部へ、対象となる化学物質を運ぶ又は輸送することに伴う、薬学的に許容できる材料、組成物、又は、液状又は固体状の充填剤等の媒体、希釈剤、賦形剤、溶媒又はカプセル化した材料を意味する。各担体は、製剤のその他の成分との適合性があるという意味で「許容でき」なければならず、患者に有害であってはならない。薬学的に許容される担体として作用する材料のいくつかの例には：（１）ラクトース、グルコース、及びスクロース等の砂糖；（２）コーンスターチ及びジャガイモ澱粉等の澱粉；（３）セルロース及びカルボキシメチルセルロースナトリウム、エチルセルロース、及び酢酸セルロース等のその誘導体；（４）トラガカント末；（５）麦芽；（６）ゼラチン；（７）滑石；（８）ココアバター及び座薬ワックス等の賦形剤；（９）ピーナッツ油、綿実油、紅花油、胡麻油、オリーブ油、コーン油、及び大豆油等の油；（１０）プロピレングリコール等のグリコール；（１１）グリセリン、ソルビトール、マンニトール、及びポリエチレングリコール等のポリオール；（１２）オレイン酸エチル及びラウリン酸エチル等のエステル；（１３）寒天；（１４）水酸化マグネシウム及び水酸化アルミニウム等の緩衝剤；（１５）アルギン酸；（１６）ピロゲン−フリー水（ｐｙｒｏｇｅｎ−ｆｒｅｅ  ｗａｔｅｒ）；（１７）生理食塩水；（１８）リンガー溶液；（１９）エチルアルコール；（２０）リン酸緩衝溶液；及び（２１）薬学的処方に使用されるその他の非毒性適合性物質；が含まれる。ある実施例では、本発明の薬学的組成物は、非発熱性である。言い換えれば、患者に投与した場合、顕著な体温上昇を誘引しない。
【００７８】
用語「薬学的に許容された塩」は、単位投与形態の比較的非毒性である、無機及び有機酸付加塩を意味する。これらの塩は、単位投与形態の最終的な単離と精製の間に、又は、好ましい有機又は無機酸でその遊離塩基の精製した単位投与形態を分離して反応させて塩を単離して形成することによって、インサイチュウで作成することができる。代表的な塩は、臭化水素酸塩、塩化水素酸塩、硫酸塩、重硫酸塩、リン酸塩、硝酸塩、酢酸塩、吉草酸塩、オレイン酸塩、パルミチン酸塩、ステアリン酸塩、ラウリン酸塩、安息香酸塩、乳酸塩、リン酸塩、トシラート、クエン酸塩、マレイン酸塩、フマル酸塩、琥珀酸塩、酒石酸塩、ナフチラート（ｎａｐｈｔｈｙｌａｔｅ）、メシラート、グルコヘプトン酸塩、ラクトビオン酸塩、及びラウリルスルホン酸塩等を含む（例えば、Ｂｅｒｇｅ  ｅｔ  ａｌ．  （１９７７）  ”Ｐｈａｒｍａｃｅｕｔｉｃａｌ  Ｓａｌｔｓ”，Ｊ．Ｐｈａｒｍ．ＳｃＬ  ６６：１−１９を参照されたい）。
【００７９】
その他の場合では、本発明の方法に有用な単位投与形態は、１つ又はそれ以上の酸性官能基を含んでもよく、従って、薬学的に許容された塩基を有する薬学的に許容された塩を形成することができる。これらの場合の用語「薬学的に許容された塩」は、単位投与形態の比較的非毒性である無機及び有機塩基付加塩を意味する。これらの塩は、同様に、最終的な単離及び精製の間に、又は、その遊離酸形態の精製した単位投与形態を、アンモニア又は薬学的に許容された有機第１級、第２級、第３級アミンを有する薬学的に許容された金属カチオンの水酸化物、カルボン酸塩、又は重カルボン酸塩等の好ましい塩基と分離して反応させることによって、インサイチュウで作成することができる。代表的なアルカリ又はアルカリ土類金属塩は、リチウム、ナトリウム、カリウム、カルシウム、マグネシウム、及びアルミニウム塩等を含む。代表的な塩基付加塩の作成に有益な有機アミンは、エチルアミン、ジエチルアミン、エチレンジアミン、エタノールアミン、ジエタノールアミン、ピペラジン等を含む（例えば、Ｂｅｒｇｅ  ｅｔ  ａｌ．，ｓｕｐｒａ参照）。
【００８０】
着色剤、徐放剤、コーティング剤、甘味料、香料添加剤、及び香料と同様に、湿潤剤、乳化剤、及びラウリル硫酸ナトリウム及びステアリン酸ナトリウム等の滑剤、保存料及び抗酸化剤が組成物に存在していてもよい。
【００８１】
薬学的に許容される抗酸化剤の例には：（１）アスコルビン酸、塩酸システイン、重硫酸ナトリウム、メタ重硫酸ナトリウム、亜硫酸ナトリウム等の水溶性抗酸化剤；（２）パルミチン酸アスコルビル、ブチル化ヒドロキシアニソール（ＢＨＡ）、ブチル化ヒドロキシトルエン（ＢＨＴ）、レクチン、没食子酸プロピル、アルファ−トコフェロール等の油溶性抗酸化剤；（３）クエン酸、エチレンジアミン四酢酸（ＥＤＴＡ）、ソルビトール、酒石酸、リン酸等の金属キレート剤；が含まれる。
【００８２】
本発明の方法に使用される剤形は、経口、経腸、経膣、及び／又は非経口投与に好適な剤形を含む。この剤形は、単位投与形態に都合よく存在しており、薬学の分野でよく知られたいずれかの方法によって作成することができる。単一投与形態を形成する担体材料と組み合わせて、有効成分の量は、治療される宿主及び投与の特定のモードによって様々である。単一投与形態を作成するために薬学的に許容可能な担体と組み合わせる有効成分の量は、一般的に、所望の治療効果を作り出す化合物の量である。ある実施例では、所望の治療効果を作り出すために必要な有効成分の量は、別の有効成分と組み合わせて使用される場合、より少なくなることがあると理解される。ある実施例では、所望の治療効果を作り出す量は、本発明のパッケージによって意図され、又は提供される併用療法との関連で決定される。一般的に、１００パーセントのうち、有効成分の量は、約１パーセントから約９９パーセント、好ましくは約５パーセントから約７０パーセント、最も好ましくは約１０パーセントから約３０パーセントの範囲である。
【００８３】
これらの剤形又は組成物を製造する方法は、治療薬を担体及び、選択的に、１又はそれ以上の副成分と結合させるステップを含む。一般的に、剤形は、液体担体、又は微細に分割された固体担体、又はその双方と、リガンドを均一且つ密に結合させ、必要ならば生成物を成形することによって製造される。
【００８４】
経口投与に適した剤形は、カプセル、サシェ、ピル、タブレット、（味の付いた基礎原料、通常、スクロース及びアカシア又はトラガカントを使用する）トローチ剤、粉末、顆粒、又はパステル剤（ゼラチン及びグリセリン、又はスクロース及びアカシア等の不活性塩基を使用する）であってよく、有効成分として所定の量の単位投与形態をそれぞれ含む。
【００８５】
経口投与（カプセル、タブレット、ピル、糖衣錠、粉末、顆粒等）用固体投与形態において、有効成分は、クエン酸ナトリウム又はリン酸二カルシウム、及び／又は次のいずれか：（１）澱粉、ラクトース、スクロース、グルコース、マンニトール、及び／又は珪酸等の充填剤又は増量剤；（２）例えば、カルボキシメチルセルロース、アルギン酸、ゼラチン、ポリビニルピロリドン、スクロース、及び／又はアカシア等の結合剤；（３）グリセロール等の保湿剤；（４）寒天、炭酸カルシウム、ジャガイモ又はタピオカ澱粉、アルギン酸、特定の珪酸、及びカルボン酸ナトリウム等の崩壊剤；（５）パラフィン等の溶液緩染剤；（６）第４アンモニウム化合物等の吸収促進剤；（７）例えば、アセチルアルコール及びモノステアリン酸グリセロール等の湿潤剤；（８）カオリン及びベントナイト粘土等の吸収剤；（９）滑石、ステアリン酸カルシウム、ステアリン酸マグネシウム、固体ポリエチレングリコール、ラウリル硫酸ナトリウム、及びこれらの混合物等の滑剤；（１０）着色剤；等の１又はそれ以上の薬学的に許容可能な担体と混合される。カプセル、タブレット、及びピルの場合では、薬学的化合物が緩衝剤も具えていてもよい。タイプが類似する固体組成物は、高分子量ポリエチレングリコール等と同様に、ラクトース又は乳糖等の賦形剤を使用するソフト及びハード充填ゼラチンカプセルの充填剤として使用することができる。
【００８６】
タブレットは、選択的に１又はそれ以上の副成分と共に、圧縮又は成形によって製造されることができる。圧縮タブレットは、結合剤（例えば、ゼラチン又はヒドロキシプロピルメチルセルロース）、滑剤、不活性希釈剤、保存料、崩壊剤（例えば、澱粉グリコール酸ナトリウム又は交差結合カルボキシメチルセルロースナトリウム）、界面活性剤、又は分散剤を使用して製造することができる。成形タブレットは、不活性な液体希釈剤で湿らせた粉末ペプチド又はペプチド模倣薬の混合物を、好適な機械で成形することによって製造できる。
【００８７】
タブレット、及び糖衣錠、カプセル、ピル、及び顆粒等のその他の固体投与形態は、選択的に医薬的製剤分野で公知である腸溶性コーティング及びその他のコーティング等のコーティング及びシェルで選択的に分割又は作成することができる。これらはまた、例えば種々の割合でヒドロキシプロピルメチルセルロースを使用して有効成分の徐放又は制御放出を提供するように、コーティングを形成し、所望の放出特性、その他のポリマーマトリックス、リポソーム、及び／又はマイクロスフェアを提供することができる。例えば、バクテリア保持フィルターでろ過することによって、又は、殺菌水に溶かすことができる殺菌固体成分の形で、又は使用直前に殺菌剤を注入可能なその他の媒体の形で殺菌剤を組み込むことによって殺菌することができる。これらの組成物は、選択的に乳白剤を含んでいてもよく、胃腸管のある部分のみで、又は、この部分で優先的に選択的に遅延した態様で、有効成分を放出する組成物であってもよい。使用できる組成物を埋め込む方法の例には、重合物質及びワックスが含まれる。有効成分は、適正であれば、１又はそれ以上の上述の賦形剤を有する、マイクロカプセル化した形状であってもよい。
【００８８】
不活性希釈剤に加えて、経口組成物は、湿潤剤、乳化及び懸濁剤、甘味料、香料添加剤、着色剤、香料、及び保存料等のアジュバントも含んでいてもよい。
【００８９】
経腸又は経膣投与用の剤形は、座薬として存在していてもよく、これは、１又はそれ以上の単位投与形態、例えば、ココアバター、ポリエチレングリコール、座薬ワックス、又はサリチル酸を具える１又はそれ以上の好ましい刺激の少ない賦形剤又は担体と混合することによって製造することができる。これらは、室温では固体であるが、体温では液状になり、従って、腸又は膣腔で溶解して、有効成分を放出する。
【００９０】
本発明の薬学的組成物に使用することができる好ましい水性及び非水性担体の例は、水、エタノール、ポリオール（グリセロール、プロピレングリコール、ポリエチレングリコール等）、及びこれらの好適な混合物、オリーブ油等の植物油、オレイン酸エチル等の注入可能な有機エステルを含む。例えば、レシチン等のコーティング剤の使用によって、分散の場合は所望の粒径の維持によって、及び界面活性剤の使用によって、適切な流動性が維持される。
【００９１】
これらの組成物は、保存料、湿潤剤、乳化剤、及び分散剤等のアジュバントを含んでいてもよい。微生物の行動は、例えば、パラベン、クロロブタノール、ソルビン酸フェノール（ｐｈｅｎｏｌ  ｓｏｒｂｉｃ  ａｃｉｄ）等の種々の抗菌剤及び抗真菌剤を含有させることによって確実に阻止することができる。組成物中に砂糖、塩化ナトリウム等の等張剤を含めることも望ましい。加えて、注入可能な薬学的形状の持続的吸収は、モノステアリン酸アルミニウム及びゼラチン等の吸収を遅らせる薬剤を含有することによって引き起こすることができる。
【００９２】
本発明の単位投与形態がヒト及び動物へ薬剤として投与される場合、この形態はそれ自体で、又は、例えば、薬学的に許容可能な担体と組み合わせた、０．１から９９．５％（より好ましくは、０．５から９０％）の有効成分を含有する薬学的組成物として与えることができる。
【００９３】
薬剤の製剤は、経口、非経口、又は経腸に与えられる。これらは、もちろん各投与経路に好適な形状で与えられる。例えば、経口的には、タブレット又はカプセルの形状で、経腸的には、座薬によって投与される。経口投与が好ましい。
【００９４】
本明細書で使用されている「系統的投与」、「系統的に投与される」、「周辺投与」及び「周辺的に投与される」は、患者の系に入るといった、中枢神経系内への直接投与以外のリガンド、薬剤又はその他の材料を投与することを意味し、従って、例えば新陳代謝と皮下投与等の、その他のプロセスを受けることを意味する。
【００９５】
選択した投与経路に関わらず、好適な水和した形状で使用されることができる単位投与形態、及び／又は本発明の薬学的組成物は、当業者に公知の従来の方法によって薬学的に許容される投与形態に製剤される。
【００９６】
薬学的組成物中の有効成分の実際の投与レベル及び／又は本発明のパッケージ又はキットに含まれる製剤Ａ及び／又はＢの数は、患者に対して毒性なく、特定の患者に対して所望の治療効果を達成するのに有効な活性成分量、組成物、及び投与モードを得るべく変えることができる。
【００９７】
均等物
当業者は、決まった実験を行うだけで、本明細書に記載されている本発明の特定の実施例の多くの均等物を認識する、又は突き止めることができる。このような均等物は、特許請求の範囲に包含される。当業者はまた、本明細書に記載されている実施例の全ての組み合わせ、又は特許請求の範囲の特徴が、本発明の範囲内にあることも認識するであろう。
【００９８】
上記の引例及び公報の全ては、参照によって本明細書に組み込まれている。
【図面の簡単な説明】
【００９９】
【図１ａ】図１ａは、本発明の実施例による一定投与量の長方形パッケージを示し、サブユニット（１及び２；斜線）は列であり、投与量（３；点模様）は行であり、各サブユニットは、製剤Ａ４又はＢ５の単位投与形態を具える。
【図１ｂ】図１ｂは、本発明の実施例による漸減する投与量の長方形パッケージを示し、サブユニット（１及び２；斜線）は列であり、投与量（３；点模様）は行であり、各サブユニットは、製剤Ａ４又はＢ５の単位投与形態を具える。
【図２】図２は、本発明の実施例による円形パッケージを示し、サブユニット（１及び２；斜線）は、同心円リングであり、投与量（３；点模様）は放射状であり、各サブユニットは、製剤Ａ４又はＢ５の単位投与形態を具える。
【図３】図３は、本発明の実施例による長方形のキットを示し、連続的に連結されるサブユニットＡ１が、パッケージに一体化されており、サブユニットＢ２をそれぞれ受けるように適合された一連の区画６と連続的に結合している。
【図４】図４は、本発明の実施例による長方形のキットを示し、サブユニットＡ１又はＢ２をぞれぞれ受けるように適合された一連の接続された区画６を具える。
【図５】図５は、本発明の実施例による長方形のパッケージを示し、各単位投与形態を囲むパッケージが、各サブユニットＡ１又はＢ２、及び各投与量３を、個別にパッケージから取り外せるようにミシン目又は切れ目９が付けられている。
【図６】図６は、本発明の実施例による長方形のパッケージを示し、サブユニットＡは、連続して結合されており、終端サブユニットＡ１に穴部１１が設けられている。サブユニットＢ２は、前記穴部１１を通って取り付けるように適合されたホック１４を具える。
【図７】図７は、本発明の実施例による長方形のキットを示し、サブユニットＡは、連続して結合されており、終端サブユニットＡ１のスリット１３が設けられている。サブユニットＢ２は、スリット１３を通って取り付けるように適合されたタブ１４を具える。
【図８】図８は、本発明の実施例による長方形のキットを示し、サブユニットＡ１は、連続して結合されており、終端サブユニットＡ１に凹部１５が設けられている。サブユニットＢ２は、凹部１５に連結するように適合されたプラグ１６を具える。
【図９】図９は、長方形のキットを示し、サブユニットＡは、連続して結合されており、終端サブユニットＡ１上に接着性ストリップ１７を具える。サブユニットＢ２は、接着性ストリップ１７に接着するように適合されたストリップの材料１８を具える。
【図１０】図１０は、長方形のキットを示し、サブユニットＡ１及びサブユニットＢ２はぞれぞれ、サブユニットＡ１及びサブユニットＢ２は、ジグソーパズルと同じように連結される突起部１９を具える。
【図１１】図１１は、一巻きの単位投与形態として供給されるサブユニットを示す。
【図１２】図１２は、シート状の単位投与形態として供給されるサブユニットを示す。
【図１３】図１３は、単位投与形態を具える同心円リングとして供給されるサブユニットを示す。
【図１４】図１４は、ストリップとして供給されるサブユニットを示す。
【図１ａ】
2008506463.tif 000003
【図１ｂ】
2008506463.tif 000004
【図２】
2008506463.tif 000005
【図３】
2008506463.tif 000006
【図４】
2008506463.tif 000007
【図５】
2008506463.tif 000008
【図６】
2008506463.tif 000009
【図７】
2008506463.tif 000010
【図８】
2008506463.tif 000011
【図９】
2008506463.tif 000012
【図１０】
2008506463.tif 000013
【図１１】
2008506463.tif 000014
【図１２】
2008506463.tif 000015
【図１３】
2008506463.tif 000016
【図１４】
2008506463.tif 000017
【国際調査報告】
2008506463.tif 000018
2008506463.tif 000019
2008506463.tif 000020
2008506463.tif 000021
2008506463.tif 000022